(57)【要約】調節可能な重心を有する遠心分離機の平衡おもりが提供される。遠心分離機の平衡おもりは、遠位端及び近位端を有する細長い本体と、細長い本体の縦軸に沿う位置で可逆的に固定されるように構成されたおもりと、遠心分離機の平衡おもりを遠心分離機に動作可能なように連結するように構成された基部とを含む。液体試料の成分を遠心分離で分離する際に、遠心分離機のローターの平衡を保つ方法及び主題の方法を実行するために適したシステムがさらに提供される。
2018510062.tif 000002
【特許請求の範囲】
【請求項１】
調節可能な重心を有することを特徴とする遠心分離機の平衡おもり。
【請求項２】
遠位端及び近位端を備えるシャフトであって、前記シャフト上におもりを可逆的に固定するために構成される前記シャフトと、
前記シャフトの縦軸に沿って動くように構成されたおもりと、
前記シャフト上の前記おもりから遠位的に配置され、かつ遠心分離機に動作可能なように連結するように構成された基部と
を備えることを特徴とする請求項１に記載の遠心分離機の平衡おもり。
【請求項３】
前記おもりは前記おもりを通じて延びる穴を備え、前記シャフトは前記穴を通じて延びることを特徴とする請求項２に記載の遠心分離機の平衡おもり。
【請求項４】
前記シャフトは螺合した外壁を含み、かつ前記おもりの前記穴が螺合した内部壁を含み、前記シャフトが前記おもりの前記内部壁と螺合することを特徴とする請求項３に記載の遠心分離機の平衡おもり。
【請求項５】
前記シャフトは、前記おもりを前記シャフトに固定するための固定具を備えることを特徴とする請求項２〜４のいずれか一項に記載の遠心分離機の平衡おもり。
【請求項６】
前記おもりは、前記シャフトの前記縦軸に沿って適所で前記おもりを固定するためのロックを備えることを特徴とする請求項２〜５のいずれか一項に記載の遠心分離機の平衡おもり。
【請求項７】
前記おもりは金属を備えることを特徴とする請求項２〜６のいずれか一項に記載の遠心分離機の平衡おもり。
【請求項８】
遠心分離機のローター区画に液体試料が入った容器を配置することと、
前記容器の前記ローター区画から直径方向反対側にある前記遠心分離機のローター区画に、調節可能な重心を有する遠心分離機の平衡おもりを配置することと、
前記液体試料の２つ以上の分画を生成するために十分な遠心力を前記容器にかけることと
を含むことを特徴とする方法。
【請求項９】
前記遠心分離機の平衡おもりは、
遠位端及び近位端を備えるシャフトであって、前記シャフト上におもりを可逆的に固定するために構成される前記シャフトと、
前記シャフトの縦軸に沿って動くように構成されたおもりと、
前記シャフト上の前記おもりから遠位的に配置され、かつ遠心分離機に動作可能なように連結するように構成された基部と
を備えることを特徴とする請求項８に記載の方法。
【請求項１０】
前記基部及び前記おもりを前記シャフトの前記縦軸に沿って、遠心分離中に前記平衡おもりが前記容器と平衡を保つ位置に配置することをさらに含むことを特徴とする請求項９に記載の方法。
【請求項１１】
前記シャフト上の位置に前記おもりを固定することを含むことを特徴とする請求項１０に記載の方法。
【請求項１２】
前記液体試料に遠心力をかけた後に、前記容器から前記液体試料の一部を取り出すことと、
前記シャフトの前記縦軸に沿って第２位置に前記おもりを再配置することと
をさらに含むことを特徴とする請求項９〜１１のいずれか一項に記載の方法。
【請求項１３】
前記液体試料に遠心力をかけた後に、前記容器から前記液体試料の一部を取り出すことと、
前記遠心分離機から前記遠心分離機の平衡おもりを取り出すことと、
前記容器の前記ローター区画から直径方向反対側にある前記遠心分離機の前記ローター区画に第２遠心分離機の平衡おもりを配置することと
をさらに含み、
前記第２遠心分離機の平衡おもりのおもりが、前記シャフトの前記縦軸に沿った、遠心分離中に前記第２遠心分離機の平衡おもりが前記容器と平衡を保つ第２位置に配置されることを特徴とする請求項９〜１２のいずれか一項に記載の方法。
【請求項１４】
遠心分離機と、調節可能な重心を有する遠心分離機の平衡おもりとを備えることを特徴とするシステム。
【請求項１５】
調節可能な重心を有する遠心分離機の平衡おもりを備えることを特徴とするキット。
【発明の詳細な説明】
【背景技術】
【０００１】
遠心分離は、多成分生体液に含まれる細胞、細胞小器官または高分子を得るべく懸濁した溶媒中の成分を分離するために用いられてきた。懸濁した粒子を持つ媒体の遠心分離は、回転軸から外側方向に粒子を沈殿させる。遠心分離による力は、回転の速度及びローターの半径に比例する。一定の力及び媒体の粘度では、粒子の沈殿率は、粒子の分子量とその密度及び媒体の密度の差とに比例する。
【０００２】
遠心分離機は、特定の重力場加速度環境をシミュレーションするために回転遠心力を用いる重要な科学実験器具であり、国防関連地域、国家経済建設、科学研究及びの発展のために、航空、航空宇宙、船舶、兵器、輸送、水、健康、エネルギー及び地球物理学的の基礎研究と製品開発の他の領域に幅広く用いられ、重要な研究用ツールを提供する。
【０００３】
遠心分離は、ローターで試料を軸回転することで試料組成の成分を分離する。回転中にローターのぶれを引き起こし得る不均衡を防ぐために、ローター区画において等しい質量が試料組成の反対側に置かれる。通常は、平衡おもりは、試料組成と等しい容量の溶液または水が入った容器である。平衡おもり及び試料組成間の大幅な不均衡は、機器の寿命を縮め、かつ遠心分離システムに永久的損傷にすらつながる過度の遠心分離振動を引き起こし得る。
【０００４】
遠心分離中に粒子にかかる力（重力と比較して）は、相対遠心力（ＲＣＦ）と呼ばれる。例えば、５００ｘｇのＲＣＦは、加えられた遠心力が地球の重力よりも５００倍も大きいことを示す。力は、通常重力（ｇ）の数倍にもなり、ＲＣＦと呼ばれる。遠心力は、ローターの回転半径及び回転速度に応じている。
【０００５】
ローターの速度は一定に保たれ得るが、半径は遠心分離管の上面から底面に向けて変化する。半径の計測が中間点としてまたは平均半径として行われ、かつ全ての力が重力に数学的に相対している場合、その後計測でｘｇとして示される遠心分離力が得られる。ＲＰＭ及び他のパラメーターが使用される特定の機器及びローターにより変化するので、遠心分離手順は、ｘｇ計測として与えられる。相対遠心力は、使用される機器とは関係なく一定である。
【０００６】
遠心分離機の手順は、分毎の回転といった回転速度を指定するよりも一般的に試料にかかる加速度量を指定する。この区別は、同じ回転速度で駆動している直径の異なる２つのローターが試料を異なる加速度にしておくために重要である。回転動作中、加速度は、半径及び角速度の平方の産物であり、通常「相対遠心力」（ＲＣＦ）と呼ばれる。加速度は、「ｇ」（または×「ｇ」）の倍数で計測され、地表の重力による標準化速度であり、単位時間毎の回転で計測され、かつＲＣＦ＝ｒ（２πＮ）２／ｇにより与えられ、ｇは地球の重力加速度であり、ｒは回転半径であり、Ｎは回転速度である。この関係は、ＲＣＦ＝１．１１８×１０−ｂｒｃｍＮ２ＲＰＭで表されてもよく、ｒｃｍはセンチメートル（ｃｍ）で計測された回転半径であり、ＮＲＰＭは分毎の回転（ＲＰＭ）で計測された回転速度である。
【発明の概要】
【０００７】
調節可能な重心を有する遠心分離機の平衡おもりが提供される。遠心分離機の平衡おもりの態様は、遠位端及び近位端を有する細長い本体と、細長い本体の縦軸に沿う位置で可逆的に固定されるように構成されたおもりと、遠心分離機の平衡おもりを遠心分離機に動作可能なように連結するように構成された基部とを含む。いくつかの実施形態では、主題の遠心分離機の平衡おもりは、遠位端及び近位端を有するシャフトと、シャフトの縦軸に沿って可逆的に固定されるように構成されたおもりと、シャフトの遠位端にあり遠心分離機に動作可能に連結するように構成された基部とを含む。他の実施形態では、遠心分離機の平衡おもりは、遠位端及び近位端を有する細長い筐体（例えば、管）と、筐体内の縦軸上の位置で可逆的に固定されるように構成されたおもりと、筐体を遠心分離機に動作可能に連結するように構成された基部とを含む。液体試料の成分を遠心分離で分離する際に、遠心分離機のローターの均衡を保つ方法並びに主題の方法を実行するために適したシステムがさらに提供される。
【０００８】
本開示の態様は、液体試料の遠心分離中に遠心分離機のローターの均衡を保つために使用される遠心分離機の平衡おもりを含む。特定の実施形態に従う遠心分離機の平衡おもりは、遠位端及び近位端を有する細長い本体と、細長い本体の縦軸に沿う位置で可逆的に固定されるように構成されたおもりと、遠心分離機の平衡おもりを遠心分離機に動作可能なように連結するように構成された基部とを含む。例えば、主題の遠心分離機の平衡おもりは、遠位端及び近位端を有するシャフトと、シャフトの縦軸に沿って可逆的に固定されるように構成されたおもりと、シャフトの遠位端にあり遠心分離機に動作可能なように連結するように構成された基部とを含んでもよい。特定の例では、遠心分離機の平衡おもりは、遠位端及び近位端を有する管のような細長い筐体と、筐体内の縦軸上の位置で可逆的に固定されるように構成されたおもりと、筐体を遠心分離機に動作可能に連結するように構成された基部とを含む。実施形態では、１つまたは両方の細長い本体（例えば、シャフト、筐体）及びおもりは、おもりを細長い本体に固定するための固定具を含み得る。固定具は、突出部、溝、掛け金、穴またはネジであり得る。いくつかの実施形態では、細長い本体（例えば、シャフト）は、固定具を含む。他の実施形態では、おもりは固定具を含む。特定の実施形態では、細長い本体とおもりの両方は、固定具を含む。おもり及び細長い本体の両方が固定具を含む場合、細長い本体上の固定具及びおもり上の固定具は、相補してもよく、特定の実施形態では、細長い本体は突起部を含み、かつおもりは溝またはノッチを含む。他の実施形態では、細長い本体は溝またはノッチを含み、かつおもりは突起部を含む。さらに他の実施形態では、おもりは、そこを突き通って延びるネジを持つ穴を含み、かつシャフトはおもりを通して螺合する。
【０００９】
いくつかの実施形態では、おもりは、掛け金、ピンまたはネジ等で細長い本体上の適所に固定される。主題の遠心分離機の平衡おもりにおける重心は、細長い本体の縦軸に沿って異なる位置におもりを固定することで変更される。遠心分離機の平衡おもりは、細長い本体の遠位端にあり、遠心分離機に動作可能なように連結するように構成された基部をさらに含む。いくつかの実施形態では、基部は遠心分離機のローターに連結するための形状をしている。例えば、基部は、円筒状のローター区画内に配置するためにディスク形または円錐形であってもよい。特定の例では、基部は細長い本体の遠位端に固定される。他の例では、基部は細長い本体の縦軸に沿って異なる場所に配置されるように構成される。
【００１０】
本開示の態様は、液体試料（例えば、生物学的試料）の遠心分離中に遠心分離機のローターの均衡を保つための方法をさらに含む。特定の実施形態に従う方法は、液体試料（例えば、血液）が入った容器を遠心分離機のローター区画に配置することと、主題の遠心分離機の平衡おもりを容器のローター区画と直径方向反対側のローター区画内に配置することと、容器及び平衡おもりに液体試料の２つ以上の分画を生成するために十分な遠心分離力をかけることとを含む。特定の実施形態では、方法は、１つ以上の分離した分画を液体試料から取り出すことと、平衡おもりのシャフト上におけるおもりの位置を調節することと、液体試料と遠心分離機の平衡おもりとに遠心力をかけることとを含む。本開示の態様は、主題の方法を実行するためのシステムをさらに含む。
【００１１】
本開示は、遠心分離機の分野における遠心容器の均衡を保つための装置及び方法に関する。特に、本開示は、調節可能な（例えば、機械的に）平衡おもり装置及びその使用方法を提供し、遠心分離機バケット内の平衡おもりとして可変的な効果を得るために重心を調節する方法を含む。
【００１２】
特定の実施形態に従った実行では、流体は遠心分離のために設計された容器内に置かれる。容器は、遠心分離機のアーム上の遠心分離機バケットに置かれる。遠心中に起こる不均衡を防ぐために、主題の遠心分離機の平衡おもりは、遠心分離機のバケットの直径方向反対側に置かれる。例えば、遠心分離機の平衡おもりは、基部、シャフト及びシャフトに沿った可変位置で固定され得る移動可能なおもりを含み得る。シャフト上の移動可能なおもりの特定位置は、遠心分離のために設計された容器に置かれた流体量に従って選択される。位置は、平衡おもり動作を最適化する（例えば、遠心分離中の遠心分離の振動を最小化する）ための最終位置のための計算または実験によって近似され得る。一般的に、容器に加えられた流体の量が多くなるほど、細長い本体上の移動可能なおもりは下がる。
【００１３】
特定の実施形態では、遠心分離機の平衡おもりは、シャフト、おもり及び基部を含む。これらの実施形態では、基部は、目的の量を供給するように、かつ遠心分離の最中に直立位置にシャフトを保持するように設計される。シャフトは、目的の量を供給するように、かつ移動可能なおもりを移動し、反対側の遠心分離機のバケット内で遠心分離された特定の流体量と相互に関連付けられ得るシャフトの離散点で固定するために機能するように設計される。移動可能なおもりは、目的の量を供給するように、かつ遠心分離中に動かないように固定された位置に配置する簡易機能を持つように設計される。移動可能なおもりをシャフトに固定する実施例は、連動ボタン機構の使用である。押し下げられた際に、移動可能なおもりは、シャフトの上下に再配置されてもよいが、ボタンが離されたときは、移動可能なおもり内の金属スライドがシャフトの溝の間に挿入され、それによりボタンが再度押されるまでさらなる動きが止められる。
【００１４】
本発明は、添付の図面と関連して読まれる場合に以下の詳細な記述からより最適に理解され得る。含まれている図面は、以下の図である。
【図面の簡単な説明】
【００１５】
【図１】特定の実施形態に従って、シャフト上の２つの異なる位置にあるおもりを持つ遠心分離機の平衡おもりの実施例を描写する。遠心分離機の平衡おもりは、基部、シャフト、移動可能なおもり、及び遠心分離中にシャフト上の特定位置におもりを安定的に配置するためのロックを含む。
【図２Ａ】特定の実施形態に従って、遠心分離中に液体試料が入った容器の均衡を保つために遠心分離機のローターの内部に置かれた遠心分離機の平衡おもりを描写する。第１位置にある遠心分離機の平衡おもりのおもりを描写し、おもりは基部に隣接したシャフトの遠位端で固定される。
【図２Ｂ】特定の実施形態に従って、遠心分離中に液体試料が入った容器の均衡を保つために遠心分離機のローターの内部に置かれた遠心分離機の平衡おもりを描写する。第２位置にある遠心分離機のおもりを描写し、おもりはシャフトの第１位置の近位位置に固定される。
【図３】特定の実施形態に従って、細長い筐体内の２つの異なる位置にあるおもりを持つ遠心分離機の平衡おもりの実施例を描写する。遠心分離機の平衡おもりは、基部、細長い筐体、及び遠心分離中に筐体内の特定位置に安定的に配置されるように構成された移動可能なおもりを含む。
【発明を実施するための形態】
【００１６】
調節可能な重心を有する遠心分離機の平衡おもりが提供される。遠心分離機の平衡おもりの態様は、遠位端及び近位端を有する細長い本体と、細長い本体の縦軸上の位置で可逆的に固定されるように構成されたおもりと、遠心分離機の平衡おもりを遠心分離機に動作可能なように連結するように構成された基部とを含む。いくつかの実施形態では、主題の遠心分離機の平衡おもりは、遠位端及び近位端を有するシャフトと、シャフトの縦軸に沿って可逆的に固定されるように構成されたおもりと、シャフトの遠位端にあり遠心分離機に動作可能なように連結するように構成された基部とを含む。他の実施形態では、遠心分離機の平衡おもりは、遠位端及び近位端を有する細長い筐体（例えば、管）と、筐体内の縦軸上の位置で可逆的に固定されるように構成されたおもりと、筐体を遠心分離機に動作可能なように連結するように構成された基部とを含む。液体試料の成分を遠心分離で分離する際に、遠心分離機のローターの均衡を保つ方法並びに主題の方法を実行するために適したシステムがさらに提供される。
【００１７】
本発明がより詳細に記述される前に、変化し得るように、本発明が記述された特定の実施形態に制限されないことが理解されよう。本明細書の範囲は付随の特許請求によって限定されないので、本明細書に用いられる技術が特定の実施形態のみを記述する目的のためのものであり、限定される意図はないことがさらに理解されよう。
【００１８】
値の範囲が提供される場合、それぞれの介在する値、文脈が明確に指示しない限り下限の単位の１０分の１まで、その範囲の上限と下限の間、及び述べられた範囲内のあらゆる他の述べられたかまたは介在する値は、本発明に包含されることが理解されよう。これらのより小さい範囲の上限及び下限は、より小さい範囲内に個別に含まれてもよく、かつ本発明にさらに包含され、述べられた範囲内であらゆる特に除外された制限を対象とする。述べられた範囲が制限の１つまたは両方を含む場合、これらの含まれた制限のいずれかまたは両方を除外する範囲は本発明に同様に含まれる。
【００１９】
他のものが定義されない限り、本明細書に用いられる全ての技術用語及び科学用語は、本開示が属する当業者が通常理解するようなものと同様の意味を有する。本明細書に記述されるものと類似の、または同等のあらゆる方法及び素材が本発明の実行または検査に同様に用いられ得るが、代表的な説明的方法及び素材がここでは記述される。
【００２０】
本明細書内に述べられた全ての出版物及び特許は各個別の出版物または特許が明確に、かつ個別に参照によって包含されることが示されるように、参照によって本明細書に包含され、かつ述べられた出版物と関連する方法及び／または素材を開示し、かつ記述するために参照によって本明細書に包含される。あらゆる出版物の引用が、出願日よりも前であるその開示のためであり、かつ本発明が、先行の発明のおかげでそういった出版物に先行するための権利を与えられていないという承認として解釈されるべきではない。さらに、提供された出版物の日付は、単独で承認される必要があり得る実際の刊行日とは異なっていてもよい。
【００２１】
本明細書及び付随の特許請求に用いられるように、単数形「ａ」、「ａｎ」、及び「ｔｈｅ」は、文脈が明らかに他のものを指し示していない限り、複数形の指示対象を含むことに留意する。本請求項は、あらゆる任意の要素を除外するように記述され得ることにさらに留意する。このように、この記述は、特許請求の要素の記述、または「否定的」限定の使用につながる「単に」、「のみ」といった排他的用語の使用のための先行詞としての役割を持つ意図がある。
【００２２】
当業者が本開示を読むことで明らかとなるように、本明細書に記述され、かつ説明された各個別の実施形態は、本発明の範囲または趣旨から逸脱することなく他のいくつかの実施形態のいずれかの機能と容易に切り離すかまたは組み合わせ得る個別の構成要素及び機能を有する。あらゆる述べられた方法は、述べられた事象の順序で、または論理的に可能な他の順序で実行できる。
【００２３】
前述のように、本開示は、調節可能な重心を有する遠心分離機の平衡おもりを提供する。さらに記述の本開示の実施形態では、遠心分離機の平衡おもりは最初により詳細に記述される。次に、主題の遠心分離機の平衡おもりで遠心分離中に遠心分離機のローターの均衡を保つ方法が開示される。主題の方法を適切に実行するための遠心分離機を含むシステムが同様に提供される。
【００２４】
遠心分離機の平衡おもり
前述のように、本開示の態様は、調節可能な重心を有する遠心分離機の平衡おもりを含む。「重心」という語句は、その従来の意味において、遠心分離機の平衡おもりのおもりが全ての方向で等しく均衡を保つ位置（例えば、点）を指すものとして本明細書で用いられる。実施形態では、主題の遠心分離機の平衡おもりは、記述されるように変化可能である重心を持つ。言い換えると、遠心分離機の平衡おもりは、固定された重心を持たない。以下により詳細に記述されるように、遠心分離機の平衡おもりの主題は、遠位端及び近位端を有する細長い本体と、細長い本体の縦軸上の位置で可逆的に固定されるように構成されたおもりと、遠心分離機の平衡おもりを遠心分離機に動作可能なように連結するように構成された基部とを含む。いくつかの実施形態では、主題の遠心分離機の平衡おもりは、遠位端及び近位端を有するシャフトと、シャフトの縦軸に沿って可逆的に固定されるように構成されたおもりと、シャフトの遠位端にある基部とを含む。他の実施形態では、遠心分離機の平衡おもりは、遠位端及び近位端を有する細長い筐体（例えば、管）と、筐体内の縦軸上の位置で可逆的に固定されるように構成されたおもりと、筐体を遠心分離機に動作可能なように連結するように構成された基部とを含む。
【００２５】
実施形態では、主題の遠心分離機の平衡おもりにおける重心は、細長い本体（例えば、シャフト、筐体）の縦軸に沿って異なる位置におもりを固定することで調節される。例えば、遠心分離機の平衡おもりは、細長い本体（例えば、シャフト）の近位端に配置される場合と比較すると、おもりが細長い本体（例えば、シャフト）の遠位端に配置される場合には異なる重心を持つ。同様に、おもりが細長い本体（例えば、シャフト）の遠位端と近位端の間に配置される場合、遠心分離機の平衡おもりはさらに異なる重心を持つ。従って、細長い本体（例えば、シャフト）の長さ及びおもりの位置に応じて、主題の遠心分離機の平衡おもりは、細長い本体の遠位端から２ｍｍ以上、５ｍｍ以上、１０ｍｍ以上、１５ｍｍ以上、２０ｍｍ以上、２５ｍｍ以上、３０ｍｍ以上、及び５０ｍｍ以上を含む、というように細長い本体の遠位端から１ｍｍ以上の重心を有するように調節をされてもよい。
【００２６】
主題の遠心分離機の平衡おもりは、液体試料の遠心分離中に遠心分離機のローターの均衡を保つために構成される。「均衡」という用語は、その従来の意味において、遠心分離中に遠心分離機の平衡おもりと液体試料が入った容器が実質的に同じ質量または重量を持つことを意味するよう本明細書で用いられる。例えば、遠心分離機の平衡おもり及び液体試料が入った容器は、遠心分離中に、４％以下、３％以下、２％以下、１％以下、０．５％以下、０．１％以下、０．０１％以下、及び０．００１％以下の差である量を含む、というように、５％以下の差の量である。特定の実施形態では、遠心分離機の平衡おもり及び液体試料が入った容器は、遠心分離中同じ質量を持つ。
【００２７】
遠心分離中に粒子にかかる力（すなわち、相対遠心力（ＲＣＦ））は、粒子の質量及びローターによる回転半径に基づく。重心を調節することで（例えば、以下により詳細に記述されるように細長い本体に沿って重量の位置を変化させることで）、質量と主題の遠心分離機の平衡おもりとが遠心分離中に均衡を保つことができる前述の質量の動径分布の組み合わせは、変化してもよい。実施形態では、遠心分離機の平衡おもりは、０．５ｇ以上、１ｇ以上、５ｇ以上、１０ｇ以上、１５ｇ以上、２５ｇ以上、５０ｇ以上、１００ｇ以上、２５０ｇ以上、５００ｇ以上、１０００ｇ以上、及び２５００ｇ以上を含む、というように０．１ｇ以上の質量の均衡を保つように構成されても良い。例えば、いくつかの実施形態では、遠心分離機の平衡おもりは、０．０５ｇから７５００ｇ、０．１ｇから５０００ｇ、０．５ｇから２５００ｇ、１ｇから２０００ｇ、５ｇから１０００ｇ、及び１０ｇから５００ｇを含む、というように０．０１ｇから１００００ｇである質量の均衡を保つように構成される。
【００２８】
実施形態では、主題の遠心分離機の平衡おもりは各種サイズの液体試料が入った容器の均衡を保つように構成されてもよく、いくつかの例では、液体試料容量の範囲は、５ｍＬから５０００ｍＬ、１０ｍＬから２５００ｍＬ、１５ｍＬから１０００ｍＬ、２５ｍＬから７５０ｍＬ、３０ｍＬから５００ｍＬ、４０ｍＬから２５０ｍＬ、及び５０ｍＬから１００ｍＬを含む、というように１ｍＬから１００００ｍＬである。１つの実施例では、主題の遠心分離機の平衡おもりは、５０ｍＬ以下、２５ｍＬ以下、１５ｍＬ以下、１０ｍＬ以下、及び５ｍＬ以下を含む、というように１００ｍＬ以下の液体試料の均衡を保つように構成される。他の実施例では、主題の遠心分離機の平衡おもりは、２５０ｍＬ以上、５００ｍＬ以上、７５０ｍＬ以上、１０００ｍＬ以上、及び２５００ｍＬ以上の液体試料を含む、というように１００ｍＬ以上の液体試料の均衡を保つように構成される。
【００２９】
以下により詳細に記述されるように、遠心分離機の平衡おもりは、液体試料が入った容器のローター区画と直径方向反対側にあるローター区画内に置かれる。均衡を保つために、遠心分離機の平衡おもりの重量は細長い本体の縦軸に沿う位置に固定され、それにより遠心分離中に遠心分離機の平衡おもりの質量が液体試料が入った試料容器の質量と同じになる（例えば、遠心分離機のローターは、回転中にほとんどまたは全くぶれないことを示す）。
【００３０】
主題の遠心分離機の平衡おもりは、遠位端及び近位端を有する細長い本体と、細長い本体の縦軸上の位置で可逆的に固定されるように構成されたおもりと、遠心分離機の平衡おもりを遠心分離機に動作可能なように連結するように構成された基部とを含む。いくつかの実施形態では、細長い本体はシャフトであり、シャフトの縦軸に沿っておもりを配置するために構成される。遠心分離機のローターのサイズに応じて、２ｃｍ以上、３ｃｍ以上、５ｃｍ以上、１０ｃｍ以上、１５ｃｍ以上、２０ｃｍ以上、２５ｃｍ以上、及び３０ｃｍ以上を含む、というようにシャフトは１ｃｍ以上であってもよい。例えば、シャフトは、２ｃｍから４５ｃｍ、３ｃｍから４０ｃｍ、４ｃｍから３５ｃｍ及び５ｃｍから２５ｃｍを含む、というように、１ｃｍから５０ｃｍの長さの範囲であってもよい。
【００３１】
シャフトの断面はあらゆる適切な形状であってもよく、対象の断面形状は、これらには限定されないが、例えば、正方形、長方形、台形、三角形、六角形等といった直線断面形状、例えば、円形、楕円形といった曲線断面形状、並びに例えば平面の頂部に連結した放物線状の底部といった不規則型状を含む。シャフトの断面は、２から４００ｍｍ２、３から２５０ｍｍ２、５から１５０ｍｍ２、及び１０から１００ｍｍ２を含む、というように１から５００ｍｍ２の範囲の表面領域を持っていてもよい。特定の実施形態では、シャフトは円筒形であり、かつ円形断面である。円筒形シャフトの断面直径は、３ｍｍ以上、４ｍｍ以上、５ｍｍ以上、１０ｍｍ以上、１５ｍｍ以上、２０ｍｍ以上、及び２５ｍｍ以上を含む、というように、２ｍｍ以上であってもよい。これらの実施形態では、円筒形シャフトの断面表面領域は、９から４００ｍｍ２、１６から２２５ｍｍ２、及び２５から１００ｍｍ２を含む、というように、４から６２５ｍｍ２の範囲である。
【００３２】
シャフトは、中実または中空であってもよい。いくつかの実施形態では、シャフトは中実である。他の実施形態では、シャフトは中空であるかまたは部分的に中空である。シャフトが中空である場合、シャフト内の内部室を共に形成する遠位端と近位端との間の壁と共にシャフトは遠位端及び近位端を含む。これらの実施形態におけるシャフトの外壁及び内部室は、同じかまたは異なる断面形状であってもよい。いくつかの実施形態では、外壁及び内部室の断面形状は同じである。他の実施形態では、外壁及び内部室の断面形状は異なる。例えば、シャフトと内部室の外壁は両方とも円形または楕円形断面であるか、またはシャフトの外壁は円形断面であってもよく、かつ内部室は多角形断面であってもよい。
【００３３】
シャフトは、これらには限定されないが、金属、ガラス、セラミック、またはプラスチックといった適切な素材から形成されてもよい。いくつかの実施形態では、シャフトは、アルミニウム、クロム、コバルト、銅、金、インジウム、鉄、鉛、ニッケル、錫、鋼鉄（例えば、ステンレス鋼）、銀、亜鉛、及びそれらの組み合わせ及び合金といった金属から形成される。他の実施形態では、シャフトは、アルミニウム合金、アルミニウムリチウム合金、アルミニウムニッケル銅合金、アルミニウム銅合金、アルミニウムマグネシウム合金、酸化アルミニウムマグネシウム合金、アルミニウムシリコン合金、アルミニウムマグネシウムマンガン白金合金、コバルト合金、コバルトクロム合金、コバルトタングステン合金、コバルトモリブデン炭素合金、コバルトクロムニッケルモリブデン鉄タングステン合金、銅合金、銅ヒ素合金、銅ベリリウム合金、銅銀合金、銅亜鉛合金（例えば、真鍮）、銅錫合金（例えば、青銅）、銅ニッケル合金、銅タングステン合金、銅金銀合金、銅ニッケル鉄合金、銅マンガン錫合金、銅アルミニウム亜鉛錫合金、銅金合金、金合金、金銀合金、インジウム合金、インジウム錫合金、インジウム錫酸化合金、鉄合金、鉄クロム合金（例えば、鋼鉄）、鉄クロムニッケル合金（例えば、ステンレス鋼）、鉄シリコン合金、鉄クロムモリブデン合金、鉄炭素合金、鉄ホウ素合金、鉄マグネシウム合金、鉄マンガン合金、鉄モリブデン合金、鉄ニッケル合金、鉄リン合金、鉄チタン合金、鉄バナジウム合金、鉛合金、鉛アンチモン合金、鉛銅合金、鉛錫合金、鉛錫アンチモン合金、ニッケル合金、ニッケルマンガンアルミニウムシリコン合金、ニッケルクロム合金、ニッケル銅合金、ニッケルモリブデンクロムタングステン合金、ニッケル銅鉄マンガン合金、ニッケル炭素合金、ニッケルクロム鉄合金、ニッケルシリコン合金、ニッケルチタン合金、銀合金、銀銅合金（例えば、スターリング銀）、銀銅ゲルマニウム合金（例えば、アルゲンティウムスターリング銀）、銀金合金、銀銅金合金、銀白金合金、錫合金、錫銅アンチモン合金、錫鉛銅合金、錫銅アンチモン合金、チタン合金、チタンバナジウムクロム合金、チタンアルミニウム合金、チタンアルミニウムバナジウム合金、亜鉛合金、亜鉛銅合金、亜鉛アルミニウムマグネシウム銅合金、ジルコニウム合金、ジルコニウム錫合金またはそれらの組み合わせといった合金から形成される。
【００３４】
特定の実施形態では、シャフトは、硬質プラスチックといったプラスチック、重合体または熱可塑性素材から形成される。例えば、適切なプラスチックは、ポリカーボネート、ポリ塩化ビニル（ＰＶＣ）、ポリウレタン、ポリエーテル、ポリアミド、ポリイミド、またはＰＥＴＧ（グリコール変性ポリエチレンテレフタレート）といった熱可塑性物質のコポリマー、その他の高分子プラスチック素材を含んでもよい。特定の実施形態では、シャフトは、ポリエステルから形成され、対象のポリエステルは、ポリ（エチレンテレフタレート）（ＰＥＴ）、ボトル品質のＰＥＴ（モノエチレングリコール、テレフタル酸、及びイソフタル酸、シクロヘキセンジメタノール等といった他のコモノマーに基づいて作られたコポリマー）、ポリ（ブチレンテレフタレート）（ＰＢＴ）、及びポリ（ヘキサメチレンテレフタレート）といったポリ（アルキレンテレフタレート）、ポリ（エチレンアジピン酸塩）、ポリ（１，４ーブチレンテレフタレート）、及びポリ（ヘキサメチレンアジピン酸塩）といったポリ（アルキレンアジピン酸塩）、ポリ（エチレンスベリン酸塩）といったポリ（アルキレンスベリン酸塩）、ポリ（ε−プロラクトン）及びポリ（β−プロピオラクトン）、ポリ（エチレンイソフタル酸）といったポリ（アルキレンイソフタル酸）、ポリ（エチレン２，６ナフタレンジカルボン酸塩）といったポリ（アルキレン２，６−ナフタレンジカルボン酸塩）、ポリ（エチレンスルホニル−４，４’−ジベンゾエート）といったポリ（アルキレンスルホニル−４，４’−ジベンゾエート）、ポリ（ｐ−フェニレンエチレンジカルボン酸塩）といったポリ（ｐ−フェニレンアルキレンジカルボン酸塩）、ポリ（トランス１，４−ｃｙｃｌｏｈｅｘａｎｅｄｉｙｌエチレンジカルボン酸塩）といったポリ（トランス１，４−ｃｙｃｌｏｈｅｘａｎｅｄｉｙｌアルキレンジカルボン酸塩）、ポリ（１，４シクロヘキサンジメチレンエチレンジカルボン酸塩）といったポリ（１，４シクロヘキサンジメチレンアルキレンジカルボン酸塩）、ポリ（［２．２．２］ビシクロオクタン１，４ジメチレンエチレンジカルボン酸塩）といったポリ（［２．２．２］ビシクロオクタン１，４ジメチレンアルキレンジカルボン酸塩）、（Ｓ）ポリラクチド、（Ｒ，Ｓ）ポリラクチド、ポリ（テトラメチルグリコリド）、及びポリ（ラクチドーコーグリコリド）といった乳酸系ポリマー及びコポリマー、及びビスフェノールＡ，３，３’ジメチルビスフェノールＡ、３，３’，５，５’テトラクロロビスフェノールＡ、３，３’，５，５’テトラメチルビスフェノールＡのポリカーボネート、ポリ（ｐ−フェニレンテレフタラミド）といったポリアミド、マイラー（登録商標）を含んでもよいが、これらには限定されない。
【００３５】
シャフトを形成する素材に応じて、０．５ｇ／ｃｍ３から２０ｇ／ｃｍ３、１．５ｇ／ｃｍ３から２２．５ｇ／ｃｍ３、２ｇ／ｃｍ３から２０ｇ／ｃｍ３、２．５ｇ／ｃｍ３から１７．５ｇ／ｃｍ３、３ｇ／ｃｍ３から１５ｇ／ｃｍ３、及び５ｇ／ｃｍ３から１０ｇ／ｃｍ３を含む、というように、０．１ｇ／ｃｍ３から２５ｇ／ｃｍ３の範囲でシャフトの密度は変化してもよい。
【００３６】
実施形態では、シャフトは、おもりをシャフトの縦軸に解放可能なように配置するために構成される。「解放可能なように」という用語は、その従来の意味において、第１位置から自由に取り外し、シャフトの異なる位置である第２位置に再配置し、かつ再取り付けできることを意味するように本明細書で用いられる。いくつかの実施形態では、おもりは完全に取り外し可能であり、おもりはシャフトから分離することができる。他の実施形態では、おもりはシャフトに連結され、シャフトは穴を含み、シャフトは穴を通じて延び、おもりはシャフトの長さに沿っておもりをスライドさせることで取り外される。
【００３７】
シャフトとおもりのいずれか、または両方は、シャフトの縦軸に沿っておもりを固定するための固定具を含んでもよい。いくつかの実施形態では、シャフトは、複数の異なる位置でシャフトにおもりを安定的に固定する固定具を含む。安定的に固定されるということは遠心分離中などにおもりがシャフトに一度取り付けられたら動かないことを意味する。シャフト上の適切な固定具は、突出部、ノッチ、溝及び穴を含んでもよいが、これらには限定されない。特定の実施形態では、シャフトはネジを含み、おもりはシャフトと螺合する。
【００３８】
シャフト上の固定具の数は、２から９０、３から８０、４から７０、５から６０、６から５０、７から４０、８から３０、９から２０及び１０から１５を含む、というように、１から１００の範囲で変更してもよい。固定具（例えば、突出部、ノッチ、溝、穴等）は、シャフト上のあらゆる適切な間隔で配置されてもよい。特定の実施形態では、固定具は、不規則な間隔で配置される。他の実施形態では、固定具は、一定の間隔で配置される。例えば、シャフト上の固定具は、２ｍｍ以上毎、３ｍｍ以上毎、４ｍｍ以上毎、５ｍｍ以上毎、１０ｍｍ以上毎、１５ｍｍ以上毎、２５ｍｍ以上毎、及び５０ｍｍ以上毎を含む、というように、１ｍｍ以上毎きざみで配置されてもよい。望ましくは、１つ以上の単位は参照識別子（すなわち、マーク）を含んでもよい。シャフト上の参照識別子は、特定の例では、おもりがその単位に置かれる場合に遠心分離機の平衡おもりが均衡を保つ質量、容量または重量を識別するために、各マークに隣接する数値（またはデータコード）をさらに含んでもよい。
【００３９】
いくつかの実施形態では、細長い本体は、筐体内の縦軸に沿っておもりを配置するために構成された内部室を一緒に形成する遠位端と近位端との間の壁と共に遠位端及び近位端を有する筐体（例えば、管）である。いくつかの実施形態では、筐体と内部室との外壁は同じ断面形状であり、対象の断面形状は、これらには限定されないが、例えば、正方形、長方形、台形、三角形、六角形等といった直線断面形状、例えば、円形、楕円形といった曲線断面形状、並びに例えば平面の頂部に連結した放物線状の底部といった不規則型状を含む。例えば、筐体と内部室との外壁は両方とも円形または楕円形断面であってもよいか、または筐体と内部室との外壁は両方とも多角形（例えば、八角形）断面であってもよい。他の実施形態では、筐体と筐体内の内部室との外壁は、異なる断面形状（例えば、筐体は円形断面で、内部室は四角形または多角形断面）である。
【００４０】
おもりの寸法（以下に記述されるような）に応じて、筐体の内部室のサイズは変化してもよく、いくつかの例では、筐体の内部室の長さは、２．５ｃｍから４５ｃｍ、５ｃｍから４０ｃｍ、７．５ｃｍから３５ｃｍ、及び１０ｃｍから２５ｃｍを含む、というように、１ｃｍから５０ｃｍの範囲であってもよく、かつ筐体の内部室の幅は、１ｃｍから１２．５ｃｍ、２ｃｍから１０ｃｍ、３ｃｍから９ｃｍ、及び４ｃｍから８ｃｍを含む、というように、０．５ｃｍから１５ｃｍの範囲であってもよい。筐体の内部室は、円筒状断面であり、いくつかの実施形態ではその直径は、１ｃｍから１２．５ｃｍ、２ｃｍから１０ｃｍ、３ｃｍから９ｃｍ、及び４ｃｍから８ｃｍを含む、というように、０．５ｃｍから１５ｃｍの範囲である。従って、筐体内の内部室の容量は、０．５０から２００ｃｍ３、１から１５０ｃｍ３、５から１２５ｃｍ３、１０から１００ｃｍ３、１５から７５ｃｍ３、及び２０から５０ｃｍ３を含む、というように、０．２５から２２５ｃｍ３の範囲で変化してもよい。
【００４１】
実施形態では、筐体は、おもりを内部室内の縦軸に沿って解放可能なように配置するために構成される。いくつかの実施形態では、おもりは完全に取り外し可能であり、おもりは筐体から分離することができる。他の実施形態では、おもりと筐体とが共に螺合するように、おもりは筐体内に連結される。
【００４２】
筐体とおもりのいずれか、または両方は、筐体の内部室内におもりを固定するための固定具を含んでもよい。いくつかの実施形態では、内部室は、複数の異なる位置で筐体内におもりを安定的に固定する固定具を含む。安定的に固定されるということは、遠心分離中などにおもりが筐体内に一度配置されたら動かないことを意味する。内部室内の適切な固定具は、突出部、ノッチ、溝及び穴を含んでもよいが、これらには限定されない。特定の実施形態では、内部室の壁はネジを含み、おもりは筐体内に螺合する。
【００４３】
内部室内の固定具の数は、２から９０、３から８０、４から７０、５から６０、６から５０、７から４０、８から３０、９から２０及び１０から１５を含む、というように、１から１００の範囲で変更してもよい。固定具（例えば、突出部、ノッチ、溝、穴等）は、筐体内のあらゆる適切な間隔で配置されてもよい。特定の実施形態では、固定具は、不規則な間隔で配置される。他の実施形態では、固定具は、一定の間隔で配置される。例えば、固定具は、２ｍｍ以上毎、３ｍｍ以上毎、４ｍｍ以上毎、５ｍｍ以上毎、１０ｍｍ以上毎、１５ｍｍ以上毎、２５ｍｍ以上毎、及び５０ｍｍ以上毎を含む、というように、１ｍｍ以上毎きざみで内部室の壁に配置されてもよい。望ましくは、１つ以上の単位は参照識別子（すなわち、マーク）を含んでもよい。参照識別子は、特定の例では、おもりがその単位に置かれる場合に遠心分離機の平衡おもりが均衡を保つ質量、容量または重量を識別するために、各マークに隣接する数値（またはデータコード）をさらに含んでもよい。
【００４４】
筐体は、これらには限定されないが、金属、ガラス、セラミック、またはプラスチックといった適切な素材から形成されてもよい。特定の実施形態では、筐体は、硬質プラスチックといったプラスチック、重合体または熱可塑性素材から形成される。例えば、適切なプラスチックは、ポリカーボネート、ポリ塩化ビニル（ＰＶＣ）、ポリウレタン、ポリエーテル、ポリアミド、ポリイミド、またはＰＥＴＧ（グリコール変性ポリエチレンテレフタレート）といった熱可塑性物質のコポリマー、その他の高分子プラスチック素材を含んでもよい。特定の実施形態では、シャフトは、ポリエステルから形成され、対象のポリエステルは、ポリ（エチレンテレフタレート）（ＰＥＴ）、ボトル品質のＰＥＴ（モノエチレングリコール、テレフタル酸、及びイソフタル酸、シクロヘキセンジメタノール等といった他のコモノマーに基づいて作られたコポリマー）、ポリ（ブチレンテレフタレート）（ＰＢＴ）、及びポリ（ヘキサメチレンテレフタレート）といったポリ（アルキレンテレフタレート）、ポリ（エチレンアジピン酸塩）、ポリ（１，４ーブチレンテレフタレート）、及びポリ（ヘキサメチレンアジピン酸塩）といったポリ（アルキレンアジピン酸塩）、ポリ（エチレンスベリン酸塩）といったポリ（アルキレンスベリン酸塩）、ポリ（ε−プロラクトン）及びポリ（β−プロピオラクトン）、ポリ（エチレンイソフタル酸）といったポリ（アルキレンイソフタル酸）、ポリ（エチレン２，６ナフタレンジカルボン酸塩）といったポリ（アルキレン２，６−ナフタレンジカルボン酸塩）、ポリ（エチレンスルホニル−４，４’−ジベンゾエート）といったポリ（アルキレンスルホニル−４，４’−ジベンゾエート）、ポリ（ｐ−フェニレンエチレンジカルボン酸塩）といったポリ（ｐ−フェニレンアルキレンジカルボン酸塩）、ポリ（トランス１，４−ｃｙｃｌｏｈｅｘａｎｅｄｉｙｌエチレンジカルボン酸塩）といったポリ（トランス１，４−ｃｙｃｌｏｈｅｘａｎｅｄｉｙｌアルキレンジカルボン酸塩）、ポリ（１，４シクロヘキサンジメチレンエチレンジカルボン酸塩）といったポリ（１，４シクロヘキサンジメチレンアルキレンジカルボン酸塩）、ポリ（［２．２．２］ビシクロオクタン１，４ジメチレンエチレンジカルボン酸塩）といったポリ（［２．２．２］ビシクロオクタン１，４ジメチレンアルキレンジカルボン酸塩）、（Ｓ）ポリラクチド、（Ｒ，Ｓ）ポリラクチド、ポリ（テトラメチルグリコリド）、及びポリ（ラクチドーコーグリコリド）といった乳酸系ポリマー及びコポリマー、及びビスフェノールＡ，３，３’ジメチルビスフェノールＡ、３，３’，５，５’テトラクロロビスフェノールＡ、３，３’，５，５’テトラメチルビスフェノールＡのポリカーボネート、ポリ（ｐ−フェニレンテレフタラミド）といったポリアミド、マイラー（登録商標）を含んでもよいが、これらには限定されない。
【００４５】
筐体を形成する素材に応じて、０．５ｇ／ｃｍ３から２０ｇ／ｃｍ３、１．５ｇ／ｃｍ３から２２．５ｇ／ｃｍ３、２ｇ／ｃｍ３から２０ｇ／ｃｍ３、２．５ｇ／ｃｍ３から１７．５ｇ／ｃｍ３、３ｇ／ｃｍ３から１５ｇ／ｃｍ３、及び５ｇ／ｃｍ３から１０ｇ／ｃｍ３を含む、というように、０．１ｇ／ｃｍ３から２５ｇ／ｃｍ３の範囲で筐体の密度は変化してもよい。
【００４６】
前述のように、主題の遠心分離機の平衡おもりは、細長い本体の遠位端から１ｍｍ以上、２ｍｍ以上、５ｍｍ以上、１０ｍｍ以上、１５ｍｍ以上、２０ｍｍ以上、２５ｍｍ以上、３０ｍｍ以上、及び細長い本体の遠位端から５０ｍｍ以上を含む、というように、細長い本体（例えば、シャフト、筐体）の縦軸に沿って配置されるように構成されたおもりをさらに含む。
【００４７】
特定の実施形態では、細長い本体はシャフトであり、かつおもりは望ましい重心に応じてシャフトの近位端から遠位端に向かうあらゆる位置で固定されてもよい。例えば、おもりは、２ｍｍ以上、５ｍｍ以上、１０ｍｍ以上、１５ｍｍ以上、２０ｍｍ以上、２５ｍｍ以上、３０ｍｍ以上、及びシャフトの遠位端から５０ｍｍ以上を含む、というようにシャフトの遠位端から１ｍｍ以上離れて配置されてもよい。いくつかの実施形態では、おもりはシャフトの基部に関連して配置され、かつ２ｍｍ以上、５ｍｍ以上、１０ｍｍ以上、１５ｍｍ以上、２０ｍｍ以上、２５ｍｍ以上、３０ｍｍ以上、及び基部から５０ｍｍ以上を含む、というように、基部から１ｍｍ以上離れて配置されてもよい。
【００４８】
実施形態では、おもりは細長い本体（例えば、シャフト）に解放可能に、かつ安定的に固定される。いくつかの実施形態では、おもりを安定的に固定するために、おもりは１つ以上の固定具を含む。例えば、おもりの固定具は、突出部、ノッチ、溝、ピンまたは穴であってもよい。おもりは、２つ以上、３つ以上及び５つ以上の固定具を含む、というように、１つ以上の固定具を含んでもよい。
【００４９】
特定の例では、細長い本体とおもりの両方は、固定具を含む。細長い本体とおもりの両方が固定具を含む場合、おもりの固定具は、細長い本体の固定具に連結する（すなわち、相補する）。例えば、シャフトまたは筐体が突出部を含む場合、おもりは溝またはノッチを含む。他の実施形態では、シャフトまたは筐体は溝またはノッチを含み、かつおもりは突起部を含む。さらに他の実施形態では、おもりは、そこを突き通って延びるネジを持つ穴を含み、かつシャフトはおもりと螺合する。他の実施形態では、おもりの外壁はネジを含み、かつ筐体の内壁と螺合する。
【００５０】
特定の実施形態では、おもりは、適所に可逆的に固定される。これらの実施形態では、一度おもりが適所に固定されると、おもりを取り外すかまたは細長い本体（例えば、シャフト）の縦軸に沿って異なる位置に移動するために、おもりは解放されなければならない。おもりは、例えばおもり上に存在し、細長い本体上の固定具（例えば、ノッチ）と係合するロックというように、あらゆる都合のよい手順で適所に可逆的に固定されてもよい。例えば、ロックは、止め掛け金、止めピンまたは止めネジであってもよい。ロックは、バネ作動式掛け金またはピンであってもよい。いくつかの実施形態では、ロックはおもり上に存在するボタンであり、望ましい位置でおもりを固定するために掛け金またはピンを作動する。特定の実施形態では、ロックはネジであり、おもりを通じて延び、かつ穴と螺合する。
【００５１】
おもりははあらゆる適切な形状であってもよく、対象の断面形状は、これらには限定されないが、例えば、正方形、長方形、台形、三角形、六角形等といった直線断面形状、例えば、円形、楕円形といった曲線断面形状、並びに例えば平面の頂部に連結した放物線状の底部といった不規則型状を含む。特定の実施形態では、おもりは、遠心分離機のローター区画の内壁と同じ（すなわち、相補する）形状である。１つの実施例では、おもりは円形である。他の実施形態では、おもりは、八角形といったような多角形である。他の実施形態では、おもりは、平面頂部に連結する湾曲した底部を含む形状である。特定の実施形態では、おもりは、円形断面を持つディスク形状である。
【００５２】
特定の実施形態では、おもりは、おもりを通じて延びる穴を持ち、かつ細長い本体（例えば、シャフト）はおもりの穴を通じて挿入される。これらの実施形態では、細長い本体の幅（例えば、細長い本体が円筒状である場合の直径）は、おもりを通じる穴の幅（例えば、おもりの穴が円形である場合の直径）よりも小さいので、おもりは細長い本体の長さに沿って容易にスライドできる。例えば、細長い本体の幅は、１％以下、２％以下、３％以下、５％以下、及び１０％以下を含む、というように、おもりの穴の幅よりも約０．５％以上小さくてもよい。特定の実施形態では、おもりの穴はネジを有し、かつ細長い本体（例えば、シャフト）の外壁と螺合する。
【００５３】
おもりの幅は変化し、１ｃｍ以上、２ｃｍ以上、及び３ｃｍ以上を含む、というように、０．５ｃｍ以上であってもよい。例えば、おもりの幅は、１ｃｍから４ｃｍ、及び１．５ｃｍから３．５ｃｍを含む、というように、０．５ｃｍから５ｃｍの範囲であってもよい。おもりが円形断面を持つ場合、おもりの直径は、１ｃｍ以上、２ｃｍ以上及び３ｃｍ以上を含む、というように、０．５ｃｍ以上であってもよい。例えば、おもりの直径は、１ｃｍから４ｃｍ、及び１．５ｃｍから３．５ｃｍを含む、というように、０．５ｃｍから５ｃｍの範囲である。
【００５４】
おもりの幅は細長い本体の長さに応じて変化し、２ｃｍ以上、３ｃｍ以上、及び５ｃｍ以上を含む、というように、１ｃｍ以上であってもよい。例えば、おもりの高さは、２ｃｍから４ｃｍ、及び１．５ｃｍから３．５ｃｍを含む、というように、１ｃｍから５ｃｍの範囲であってもよい。おもりは、０．５から９ｃｍ２、１から８ｃｍ２、２から７ｃｍ２、及び３から６ｃｍ２を含む、というように、０．１から１０ｃｍ２の範囲の表面領域であってもよい。
【００５５】
おもりの質量は、１ｇから２０００ｇ、５ｇから１５００ｇ、１０ｇから１０００ｇ、２５ｇから７５０ｇ、及び５０ｇから５００ｇを含む、というように、０．５ｇから２５００ｇの範囲で所望の通りに変化してもよい。おもりが形成される（以下に記述される）素材の密度に応じて、おもりの容量は、０．５から７５ｃｍ３、１から５０ｃｍ３、２から２５ｃｍ３、及び３から１０ｃｍ３を含む、というように、０．１から１００ｃｍ３の範囲であってもよい。
【００５６】
特定の実施形態では、おもりは、円形断面を持つディスク形状である。これらの実施形態では、おもりは、１ｃｍ以上、２ｃｍ以上、及び３ｃｍ以上を含む、というように、０．５ｃｍ以上である直径を持ってもよい。ディスク型状のおもりの高さは、１０ｍｍ以上、１５ｍｍ以上、２０ｍｍ以上、２５ｍｍ以上、３０ｍｍ以上、及び５０ｍｍ以上を含む、というように、５ｍｍ以上であってもよい。
【００５７】
おもりは、これらには限定されないが、金属、ガラス、セラミック、またはプラスチックといった適切な素材から形成されてもよい。いくつかの実施形態では、おもりは、アルミニウム、クロム、コバルト、銅、金、インジウム、鉄、鉛、錫、鋼鉄（例えば、ステンレス鋼）、銀、亜鉛、及びそれらの組み合わせ及び合金といった金属から形成される。他の実施形態では、おもりは、アルミニウム合金、アルミニウムリチウム合金、アルミニウムニッケル銅合金、アルミニウム銅合金、アルミニウムマグネシウム合金、酸化アルミニウムマグネシウム合金、アルミニウムシリコン合金、アルミニウムマグネシウムマンガン白金合金、コバルト合金、コバルトクロム合金、コバルトタングステン合金、コバルトモリブデン炭素合金、コバルトクロムニッケルモリブデン鉄タングステン合金、銅合金、銅ヒ素合金、銅ベリリウム合金、銅銀合金、銅亜鉛合金（例えば、真鍮）、銅錫合金（例えば、青銅）、銅ニッケル合金、銅タングステン合金、銅金銀合金、銅ニッケル鉄合金、銅マンガン錫合金、銅アルミニウム亜鉛錫合金、銅金合金、金合金、金銀合金、インジウム合金、インジウム錫合金、インジウム錫酸化合金、鉄合金、鉄クロム合金（例えば、鋼鉄）、鉄クロムニッケル合金（例えば、ステンレス鋼）、鉄シリコン合金、鉄クロムモリブデン合金、鉄炭素合金、鉄ホウ素合金、鉄マグネシウム合金、鉄マンガン合金、鉄モリブデン合金、鉄ニッケル合金、鉄リン合金、鉄チタン合金、鉄バナジウム合金、鉛合金、鉛アンチモン合金、鉛銅合金、鉛錫合金、鉛錫アンチモン合金、ニッケル合金、ニッケルマンガンアルミニウムシリコン合金、ニッケルクロム合金、ニッケル銅合金、ニッケルモリブデンクロムタングステン合金、ニッケル銅鉄マンガン合金、ニッケル炭素合金、ニッケルクロム鉄合金、ニッケルシリコン合金、ニッケルチタン合金、銀合金、銀銅合金（例えば、スターリング銀）、銀銅ゲルマニウム合金（例えば、アルゲンティウムスターリング銀）、銀金合金、銀銅金合金、銀白金合金、錫合金、錫銅アンチモン合金、錫鉛銅合金、錫銅アンチモン合金、チタン合金、チタンバナジウムクロム合金、チタンアルミニウム合金、チタンアルミニウムバナジウム合金、亜鉛合金、亜鉛銅合金、亜鉛アルミニウムマグネシウム銅合金、ジルコニウム合金、ジルコニウム錫合金またはそれらの組み合わせといった合金から形成される。
【００５８】
特定の実施形態では、おもりは、硬質プラスチックといったプラスチック、重合体または熱可塑性素材から形成される。例えば、適切なプラスチックは、ポリカーボネート、ポリ塩化ビニル（ＰＶＣ）、ポリウレタン、ポリエーテル、ポリアミド、ポリイミド、またはＰＥＴＧ（グリコール変性ポリエチレンテレフタレート）といった熱可塑性物質のコポリマー、その他の高分子プラスチック素材を含んでもよい。特定の実施形態では、おもりは、ポリエステルから形成され、対象のポリエステルは、ポリ（エチレンテレフタレート）（ＰＥＴ）、ボトル品質のＰＥＴ（モノエチレングリコール、テレフタル酸、及びイソフタル酸、シクロヘキセンジメタノール等といった他のコモノマーに基づいて作られたコポリマー）、ポリ（ブチレンテレフタレート）（ＰＢＴ）、及びポリ（ヘキサメチレンテレフタレート）といったポリ（アルキレンテレフタレート）、ポリ（エチレンアジピン酸塩）、ポリ（１，４ーブチレンテレフタレート）、及びポリ（ヘキサメチレンアジピン酸塩）といったポリ（アルキレンアジピン酸塩）、ポリ（エチレンスベリン酸塩）といったポリ（アルキレンスベリン酸塩）、ポリ（ε−プロラクトン）及びポリ（β−プロピオラクトン）、ポリ（エチレンイソフタル酸）といったポリ（アルキレンイソフタル酸）、ポリ（エチレン２，６ナフタレンジカルボン酸塩）といったポリ（アルキレン２，６−ナフタレンジカルボン酸塩）、ポリ（エチレンスルホニル−４，４’−ジベンゾエート）といったポリ（アルキレンスルホニル−４，４’−ジベンゾエート）、ポリ（ｐ−フェニレンエチレンジカルボン酸塩）といったポリ（ｐ−フェニレンアルキレンジカルボン酸塩）、ポリ（トランス１，４−ｃｙｃｌｏｈｅｘａｎｅｄｉｙｌエチレンジカルボン酸塩）といったポリ（トランス１，４−ｃｙｃｌｏｈｅｘａｎｅｄｉｙｌアルキレンジカルボン酸塩）、ポリ（１，４シクロヘキサンジメチレンエチレンジカルボン酸塩）といったポリ（１，４シクロヘキサンジメチレンアルキレンジカルボン酸塩）、ポリ（［２．２．２］ビシクロオクタン１，４ジメチレンエチレンジカルボン酸塩）といったポリ（［２．２．２］ビシクロオクタン１，４ジメチレンアルキレンジカルボン酸塩）、（Ｓ）ポリラクチド、（Ｒ，Ｓ）ポリラクチド、ポリ（テトラメチルグリコリド）、及びポリ（ラクチドーコーグリコリド）といった乳酸系ポリマー及びコポリマー、及びビスフェノールＡ，３，３’ジメチルビスフェノールＡ、３，３’，５，５’テトラクロロビスフェノールＡ、３，３’，５，５’テトラメチルビスフェノールＡのポリカーボネート、ポリ（ｐ−フェニレンテレフタラミド）といったポリアミド、マイラー（登録商標）を含んでもよいが、これらには限定されない。
【００５９】
いくつかの実施形態では、おもり及び細長い本体は、同じ素材から形成される。他の実施形態では、おもり及び細長い本体は、異なる素材から形成される。おもりを形成する素材に応じて、０．５ｇ／ｃｍ３から２０ｇ／ｃｍ３、１．５ｇ／ｃｍ３から２２．５ｇ／ｃｍ３、２ｇ／ｃｍ３から２０ｇ／ｃｍ３、２．５ｇ／ｃｍ３から１７．５ｇ／ｃｍ３、３ｇ／ｃｍ３から１５ｇ／ｃｍ３、及び５ｇ／ｃｍ３から１０ｇ／ｃｍ３を含む、というように、０．１ｇ／ｃｍ３から２５ｇ／ｃｍ３の範囲でおもりの密度は変化してもよい。
【００６０】
おもりは、中実または中空であってもよい。いくつかの実施形態では、おもりは中実である（例えば、中実であるステンレス鋼）。他の実施形態では、おもりは中空であるかまたは部分的に中空である。おもりが中空である場合、おもりは液体組成物が入った内部室を含んでもよい。特定の実施形態では、おもりは、おもりへ水性組成物または高密度液体を注入するというように、おもりの中空部分へ液体組成物を注入する（または排出する）ための１つ以上の出入り口を含んでもよい。例えば、液体組成物は、１．５ｇ／ｍＬ以上、２ｇ／ｍＬ以上、３ｇ／ｍＬ以上、４ｇ／ｍＬ以上、及び５ｇ／ｍＬ以上を含む、というように、１ｇ／ｍＬ以上の密度があってもよい。
【００６１】
主題の遠心分離機の平衡おもりは、遠心分離機の平衡おもりを遠心分離機に動作可能なように連結するように構成された基部をさらに含む。いくつかの実施形態では、基部は細長い本体（例えば、シャフト）の遠位端に固定される。他の実施形態では、基部は、シャフトの遠位端から１ｍｍ以上、２ｍｍ以上、５ｍｍ以上、１０ｍｍ以上、及び１５ｍｍ以上を含む、というように、細長い本体（例えば、シャフト）の遠位端から距離を隔てて固定される。
【００６２】
特定の実施形態では、基部は、おもりの遠位にあるシャフト上に解放可能なように配置される。例えば、基部は、２ｍｍ以上、５ｍｍ以上、１０ｍｍ以上、及び１５ｍｍ以上を含む、というように、シャフトの遠位端から１ｍｍ以上隔てて配置されてもよい。基部は、シャフトの固定具に連結（すなわち、相補）する１つ以上の固定具によってシャフト上に配置されてもよい。例えば、基部の固定具は、突出部、ノッチ、溝、ピンまたは穴であってもよい。特定の実施形態では、基部は、シャフトの遠位端に螺合する。
【００６３】
実施形態では、基部は、細長い本体上の適所に可逆的に固定されてもよい。ロックは、止め掛け金、止めピンまたは止めネジといったような都合のよい手順で細長い本体に可逆的に固定されてもよい。例えば、ロックは、バネ作動式掛け金またはピンであってもよい。いくつかの実施形態では、ロックは基部上のボタンであり、望ましい位置でおもりを固定するために掛け金またはピンを作動する。特定の実施形態では、ロックはネジであり、基部を通じて延び、かつ細長い本体上の穴に螺合する。特定の実施形態では、基部は、細長い本体の遠位端に螺合されることでシャフトに固定される。
【００６４】
基部はあらゆる適切な形状であってもよく、いくつかの実施形態では、対象の断面形状は、これらには限定されないが、例えば、正方形、長方形、台形、三角形、六角形等といった直線断面形状、例えば、円形、楕円形といった曲線断面形状、並びに例えば平面の頂部に連結した放物線状の底部といった不規則型状を含む。特定の実施形態では、基部の断面は、遠心分離機のローター区画の内壁と相補するように構成される。前述のように、基部は、遠心分離中に遠心分離機に動作可能なように連結するように構成される。いくつかの実施形態では、基部は、ローター区画内に嵌合する形状であるので、主題の遠心分離機の平衡おもりは遠心分離中に動いたり傾いたりしない。特定の実施形態では、基部は、ローター区画とほぼ同じ幅（例えば、基部が円形断面を持つ場合は直径）である。例えば、２％以下、１％以下、０．５％以下、及び０．１％以下を含む、というように、基部の幅とローターの幅の差は３％以下であってもよい。１つの実施例では、４ｍｍ以下、３ｍｍ以下、２ｍｍ以下、１ｍｍ以下、及び０．５ｍｍ以下を含む、というように、基部が円形断面を持つ場合の基部の直径とローター区画の直径との差は５ｍｍ以下である。
【００６５】
いくつかの実施形態では、基部の底部は、ローター区画と相補するような形状である。１つの実施例では、基部の底部は、円錐台形状である。他の実施例では、基部の底部は、半球形状である。さらに他の実施形態では、基部の底部は、四角形または三角形といったような多角形である。
【００６６】
基部の幅は変化し、１ｃｍ以上、２ｃｍ以上、及び３ｃｍ以上を含む、というように、０．５ｃｍ以上であってもよい。例えば、基部の幅は、１ｃｍから４ｃｍ及び１．５ｃｍから３．５ｃｍを含む、というように、０．５ｃｍから５ｃｍの範囲であってもよい。基部が円形断面を持つ場合、基部の直径は、１ｃｍ以上、２ｃｍ以上及び３ｃｍ以上を含む、というように、０．５ｃｍ以上であってもよい。例えば、基部の直径は、１ｃｍから４ｃｍ及び１．５ｃｍから３．５ｃｍを含む、というように、０．５ｃｍから５ｃｍの範囲である。
【００６７】
基部の長さは変化し、２ｃｍ以上、３ｃｍ以上、及び５ｃｍ以上を含む、というように、１ｃｍ以上であってもよい。例えば、基部の長さは、２ｃｍから４ｃｍ、及び１．５ｃｍから３．５ｃｍを含む、というように、１ｃｍから５ｃｍの範囲であってもよい。基部は、０．５から９ｃｍ２、１から８ｃｍ２、２から７ｃｍ２、及び３から６ｃｍ２を含む、というように、０．１から１０ｃｍ２の範囲の表面領域であってもよい。
【００６８】
基部の質量は、１ｇから２０００ｇ、５ｇから１５００ｇ、１０ｇから１０００ｇ、２５ｇから７５０ｇ、及び５０ｇから５００ｇを含む、というように、０．５ｇから２５００ｇの範囲で所望の通りに変化してもよい。基部が形成される（以下に記述される）素材の密度に応じて、基部の容量は、０．５から７５ｃｍ３、１から５０ｃｍ３、２から２５ｃｍ３、及び３から１０ｃｍ３を含む、というように、０．１から１００ｃｍ３の範囲であってもよい。
【００６９】
特定の実施形態では、基部は、円形断面を持つディスク形状である。これらの実施形態では、１ｃｍ以上、２ｃｍ以上、及び３ｃｍ以上を含む、というように、基部の直径は０．５ｃｍ以上であってもよい。ディスク型状の基部の高さは、１０ｍｍ以上、１５ｍｍ以上、２０ｍｍ以上、２５ｍｍ以上、３０ｍｍ以上、及び５０ｍｍ以上を含む、というように、５ｍｍ以上であってもよい。
【００７０】
基部は、これらには限定されないが、金属、ガラス、セラミック、またはプラスチックといった適切な素材から形成されてもよい。いくつかの実施形態では、基部は、アルミニウム、クロム、コバルト、銅、金、インジウム、鉄、鉛、錫、鋼鉄（例えば、ステンレス鋼）、銀、亜鉛、及びそれらの組み合わせ及び合金といった金属から形成される。他の実施形態では、基部は、アルミニウム合金、アルミニウムリチウム合金、アルミニウムニッケル銅合金、アルミニウム銅合金、アルミニウムマグネシウム合金、酸化アルミニウムマグネシウム合金、アルミニウムシリコン合金、アルミニウムマグネシウムマンガン白金合金、コバルト合金、コバルトクロム合金、コバルトタングステン合金、コバルトモリブデン炭素合金、コバルトクロムニッケルモリブデン鉄タングステン合金、銅合金、銅ヒ素合金、銅ベリリウム合金、銅銀合金、銅亜鉛合金（例えば、真鍮）、銅錫合金（例えば、青銅）、銅ニッケル合金、銅タングステン合金、銅金銀合金、銅ニッケル鉄合金、銅マンガン錫合金、銅アルミニウム亜鉛錫合金、銅金合金、金合金、金銀合金、インジウム合金、インジウム錫合金、インジウム錫酸化合金、鉄合金、鉄クロム合金（例えば、鋼鉄）、鉄クロムニッケル合金（例えば、ステンレス鋼）、鉄シリコン合金、鉄クロムモリブデン合金、鉄炭素合金、鉄ホウ素合金、鉄マグネシウム合金、鉄マンガン合金、鉄モリブデン合金、鉄ニッケル合金、鉄リン合金、鉄チタン合金、鉄バナジウム合金、鉛合金、鉛アンチモン合金、鉛銅合金、鉛錫合金、鉛錫アンチモン合金、ニッケル合金、ニッケルマンガンアルミニウムシリコン合金、ニッケルクロム合金、ニッケル銅合金、ニッケルモリブデンクロムタングステン合金、ニッケル銅鉄マンガン合金、ニッケル炭素合金、ニッケルクロム鉄合金、ニッケルシリコン合金、ニッケルチタン合金、銀合金、銀銅合金（例えば、スターリング銀）、銀銅ゲルマニウム合金（例えば、アルゲンティウムスターリング銀）、銀金合金、銀銅金合金、銀白金合金、錫合金、錫銅アンチモン合金、錫鉛銅合金、錫銅アンチモン合金、チタン合金、チタンバナジウムクロム合金、チタンアルミニウム合金、チタンアルミニウムバナジウム合金、亜鉛合金、亜鉛銅合金、亜鉛アルミニウムマグネシウム銅合金、ジルコニウム合金、ジルコニウム錫合金またはそれらの組み合わせといった合金から形成される。
【００７１】
特定の実施形態では、基部は、硬質プラスチックといったプラスチック、重合体または熱可塑性素材から形成される。例えば、適切なプラスチックは、ポリカーボネート、ポリ塩化ビニル（ＰＶＣ）、ポリウレタン、ポリエーテル、ポリアミド、ポリイミド、またはＰＥＴＧ（グリコール変性ポリエチレンテレフタレート）といった熱可塑性物質のコポリマー、その他の高分子プラスチック素材を含んでもよい。特定の実施形態では、基部は、ポリエステルから形成され、対象のポリエステルは、ポリ（エチレンテレフタレート）（ＰＥＴ）、ボトル品質のＰＥＴ（モノエチレングリコール、テレフタル酸、及びイソフタル酸、シクロヘキセンジメタノール等といった他のコモノマーに基づいて作られたコポリマー）、ポリ（ブチレンテレフタレート）（ＰＢＴ）、及びポリ（ヘキサメチレンテレフタレート）といったポリ（アルキレンテレフタレート）、ポリ（エチレンアジピン酸塩）、ポリ（１，４ーブチレンテレフタレート）、及びポリ（ヘキサメチレンアジピン酸塩）といったポリ（アルキレンアジピン酸塩）、ポリ（エチレンスベリン酸塩）といったポリ（アルキレンスベリン酸塩）、ポリ（ε−プロラクトン）及びポリ（β−プロピオラクトン）、ポリ（エチレンイソフタル酸）といったポリ（アルキレンイソフタル酸）、ポリ（エチレン２，６ナフタレンジカルボン酸塩）といったポリ（アルキレン２，６−ナフタレンジカルボン酸塩）、ポリ（エチレンスルホニル−４，４’−ジベンゾエート）といったポリ（アルキレンスルホニル−４，４’−ジベンゾエート）、ポリ（ｐ−フェニレンエチレンジカルボン酸塩）といったポリ（ｐ−フェニレンアルキレンジカルボン酸塩）、ポリ（トランス１，４−ｃｙｃｌｏｈｅｘａｎｅｄｉｙｌエチレンジカルボン酸塩）といったポリ（トランス１，４−ｃｙｃｌｏｈｅｘａｎｅｄｉｙｌアルキレンジカルボン酸塩）、ポリ（１，４シクロヘキサンジメチレンエチレンジカルボン酸塩）といったポリ（１，４シクロヘキサンジメチレンアルキレンジカルボン酸塩）、ポリ（［２．２．２］ビシクロオクタン１，４ジメチレンエチレンジカルボン酸塩）といったポリ（［２．２．２］ビシクロオクタン１，４ジメチレンアルキレンジカルボン酸塩）、（Ｓ）ポリラクチド、（Ｒ，Ｓ）ポリラクチド、ポリ（テトラメチルグリコリド）、及びポリ（ラクチドーコーグリコリド）といった乳酸系ポリマー及びコポリマー、及びビスフェノールＡ，３，３’ジメチルビスフェノールＡ、３，３’，５，５’テトラクロロビスフェノールＡ、３，３’，５，５’テトラメチルビスフェノールＡのポリカーボネート、ポリ（ｐ−フェニレンテレフタラミド）といったポリアミド、マイラー（登録商標）を含んでもよいが、これらには限定されない。
【００７２】
いくつかの実施形態では、基部及びおもりは、同じ素材から形成される。他の実施形態では、基部及びおもりは、異なる素材から形成される。基部を形成する素材に応じて、０．５ｇ／ｃｍ３から２０ｇ／ｃｍ３、１．５ｇ／ｃｍ３から２２．５ｇ／ｃｍ３、２ｇ／ｃｍ３から２０ｇ／ｃｍ３、２．５ｇ／ｃｍ３から１７．５ｇ／ｃｍ３、３ｇ／ｃｍ３から１５ｇ／ｃｍ３、及び５ｇ／ｃｍ３から１０ｇ／ｃｍ３を含む、というように、０．１ｇ／ｃｍ３から２５ｇ／ｃｍ３の範囲で基部の密度は変化してもよい。
【００７３】
基部は、中実かまたは中空であってもよい。いくつかの実施形態では、基部は中実である（例えば、中実であるステンレス鋼）。他の実施形態では、基部は中空であるかまたは部分的に中空である。基部が中空である場合、基部は液体組成物が入った内部室を含んでもよい。特定の実施形態では、基部は、基部へ水性組成物または高密度液体を注入するというように、基部の中空部分へ液体組成物を注入する（または排出する）ための１つ以上の出入り口を含んでもよい。例えば、液体組成物は、１．５ｇ／ｍＬ以上、２ｇ／ｍＬ以上、３ｇ／ｍＬ以上、４ｇ／ｍＬ以上、及び５ｇ／ｍＬ以上を含む、というように、１ｇ／ｍＬ以上の密度があってもよい。
【００７４】
図１は、シャフト上の２つの異なる位置でおもりを有する、特定の実施形態に従った遠心分離機の平衡おもりの実施例を描写する。装置１００は、シャフト１０１、シャフトの遠位端に固定された基部１０２及びおもり１０３を含む。第１位置では、おもり１０３は、基部１０２に隣接するシャフト１０１上の最も遠位の位置に安定的に配置される。シャフト１０１は、シャフトの縦軸に沿って異なる位置でおもりを安定的に配置するための複数の溝１０１ａを含む。おもり１０３は、シャフト上の適所におもりを固定するためのロック１０３ａを含む。第２位置では、おもり１０３は、シャフトの縦軸に沿って近位的に動かされ、かつロック１０３ａを用いて適所に固定される。
【００７５】
図２Ａ〜２Ｂは、特定の実施形態に従って、遠心分離中に液体試料２０１が入った容器の均衡を保つために遠心分離機のローター２００の内部に置かれた遠心分離機の平衡おもりを描写する。図２Ａは、第１位置にある遠心分離機の平衡おもりのおもりを描写し、おもりは基部に隣接したシャフトの遠位端で固定される。図２Ｂは、第２位置にある遠心分離機のおもりを描写し、おもりはシャフトの第１位置の近位位置に固定される。遠心分離中に、遠心分離機の平衡おもりは、軸２０２を越えてローター区画と直径方向反対側に配置された液体試料が入った容器と均衡を保つ。
【００７６】
図３は、細長い筐体内の２つの異なる位置でおもりを有する、特定の実施形態に従った遠心分離機の平衡おもりの実施例を描写する。装置３００は、細長い筐体（例えば、管構造）３０１、細長い筐体の遠位端に固定された基部１０２及びおもり３０３を含む。第１位置では、おもり３０３は基部３０２から離間して安定的に配置される。おもり３０３は、固定具３０１ａによって筐体３０１内の適所に固定される。第２位置では、おもり３０３は第１位置での場合よりも基部３０２の近くに配置され、かつ固定具３０１ａによって筐体３０１内に固定される。
【００７７】
遠心分離中に遠心分離機のローターの均衡を保つ方法
前述のように、本開示の態様は、液体試料の遠心分離中に遠心分離機のローターと主題の遠心分離機の平衡おもりとの均衡を保つ方法をさらに含む。特定の実施形態に従う方法は、液体試料が入った容器を遠心分離機のローター区画に配置することと、遠心分離機の平衡おもりを容器のローター区画と直径方向反対側のローター区画内に配置することと、容器及び平衡おもりに遠心分離力をかけることとを含む。前述のように、遠心分離機のローターの均衡を保つために、遠心分離中に遠心分離機の平衡おもりが液体試料が入った容器の質量と同じ質量となるように、おもりが細長い本体の縦軸に沿う位置で固定される。例えば、主題の方法を行う間、４％以下、３％以下、２％以下、１％以下、０．５％以下、０．１％以下、０．０５％以下、０．０１％以下、及び０．００１％以下を含む、というように、遠心分離中に遠心分離機の平衡おもりと容器との容量差が５％以下になるようにおもりは細長い本体の縦軸に沿って適所に配置される。
【００７８】
実施形態では、液体試料は生物学的試料であってもよい。生物学的試料は、全生物、植物、菌類または特定の例では血液、粘液、リンパ液、滑液、脳脊髄液、唾液、気管支肺胞洗浄、羊水、羊膜帯血液、尿、膣液及び精液中に存在する動物性組織、細胞または成分の一部を含んでもよい。このように、「生物学的試料」は、自然の生物またはその組織の一部、並びに生物またはその組織の一部から得られたホモジネート、溶解物または抽出物の両方を指し、これらには限定されないが、例えば血漿、血清、髄液、リンパ液、皮膚、呼吸器、胃腸、心臓血管、及び尿生殖路、涙、唾液、乳、血球、腫瘍、臓器を含む。生物学的試料は、あらゆるタイプの生物体素材を含んでもよく、健康及び罹患成分（例えば、癌性、悪性、壊死等）の両方を含む。特定の実施形態では、生物学的試料は、全血またはその派生物、骨髄穿刺液、間質脈管成分、血漿、涙、汗、尿、精液等といった液体試料であり、いくつかの例では試料は、静脈穿刺または指先穿刺で得られる血液といったような全血を含む、血液試料である（血液が分析前に防腐剤、抗凝固剤等といったあらゆる試薬と組み合わせられ得るかまたはそうでない場合）。「血液試料」という用語は、全血または血液成分の一部を指し、これらには限定されないが、血小板、赤血球、白血球及び血漿を含む。いくつかの実施形態では、血液試料は、体内源から得られ、組織（例えば、組織生検、組織試料からの細胞懸濁液等）からまたは対象から直接的に得られた血液試料を含み得る。いくつかのケースでは、対象由来の血液試料は、評価前に培養、貯蔵、または操作される。
【００７９】
特定の実施形態では、生物学的試料の源は、「哺乳動物」または「哺乳類」であり、これらの用語は肉食動物目（例えば、イヌ及びネコ）、齧歯目（例えば、ネズミ、モルモット、及びラット）、及び霊長類（例えば、ヒト、チンパンジー、及びサル）を含む哺乳類である生命体を記述するために幅広く用いられる。いくつかの例では、対象はヒトである。方法は、男女両方及び発達のあらゆる段階（すなわち、新生児、幼児、児童、青年、成人）における被験者から得られた試料に適用されてもよく、特定の実施形態では、被験者は児童、青年または成人である。本開示が被験者から得られた試料に適用されてもよい一方で、方法は、これらには限定されないが、トリ、ネズミ、ラット、イヌ、ネコ、家畜類及びウマといった他の動物被験体（すなわち、「ヒト以外の被験体」）から得られた試料で同様に行われてもよいことが理解されるべきである。
【００８０】
実施形態では、液体試料はさらに、防腐剤、酸化防止剤、安定剤、界面活性剤、抗凝固剤、キレート剤等といった１つ以上の成分を含む生物学的試料（前述のような）であってもよい。特定の例では、多成分の液体試料は、１つ以上の抗凝固剤を含む全血または骨髄穿刺液である。例えば、多成分の液体試料は、ヘパリンまたはカルシウムキレート剤（例えば、クエン酸塩またはＥＤＴＡ）を含む全血または骨髄穿刺液であってもよい。生物学的試料における各成分の濃度は生物学的試料のタイプ及び量に応じて変化してもよく、０．００５ｍＭ以上、０．０１ｍＭ以上、０．０５ｍＭ以上、０．１ｍＭ以上、０．５ｍＭ以上、１ｍＭ以上、５ｍＭ以上、１０ｍＭ以上、１００ｍＭ以上、５００ｍＭ以上、１０００ｍＭ以上、及び５０００ｍＭ以上を含む、というように、０．００１ｍＭ以上であってもよい。例えば、生物学的試料における成分の濃度は、０．０１ｍＭから１０００ｍＭ、及び０．１ｍＭから５００ｍＭを含む、というように、０．００１ｍＭから５０００ｍＭの範囲であってもよい。
【００８１】
特定の実施形態に従う主題の方法を実行する場合、細長い本体（例えば、シャフト上）の縦軸に沿うおもりの適切な位置（すなわち、遠心分離機のローターの均衡を保つための）は、参照識別子を用いて判断される。他の実施形態では、おもりの適切な位置は、試料容器及び遠心分離機の平衡おもりに遠心力をかけ、かつ遠心分離機のローターが遠心分離中にほとんどまたは全くぶれないかまたは振動がなくなるまでおもりの位置を再調節することで判断される。
【００８２】
主題の方法では、試料容器及び遠心分離機の平衡おもりは、１回以上遠心力をかけられる。「遠心力」という用語は、その従来の意味において、回転軸の回りで装置を回転させる際に試料にかかる力を指し、試料の成分にかかる力は特定の実施形態において相対遠心力（ＲＣＦ）で与えられることを意味するように、本明細書で用いられる。実施形態では、例えば、固定角度遠心分離機、スイングバケット式遠心分離機、超遠心分離機、ソリッドボール式遠心分離機、円錐遠心分離機、その他のタイプの遠心分離機といったあらゆる都合のよい遠心分離機が採用される。かけられる遠心力（相対遠心力、ＲＣＦ）は、試料のタイプ及びサイズに応じて変化してもよく、２ｇから４５，０００ｇ、３ｇから４０，０００ｇ、５ｇから３５，０００ｇ、１０ｇから２５，０００ｇ、１００ｇから２０，０００ｇ、５００ｇから１５，０００ｇ、及び１０００ｇから１０，０００ｇを含む、というように、１ｇから５０，０００ｇの範囲であってもよい。
【００８３】
実施形態では、異なる密度の成分を液体試料内の２つ以上の分画に分離するために十分な時間、試料は遠心力をかけられる。試料に遠心力をかける時間は変化してもよく、０．０５分以上、０．１分以上、０．５分以上、１分以上、３分以上、５分以上、１０分以上、１５分以上、２０分以上、３０分以上、４５分以上、６０分以上、及び９０分以上を含む、というように、０．０１分以上であってもよい。
【００８４】
試料の容量及び試料成分の密度分散度に応じて、遠心分離機の回転速度は、１×１０３毎分回転（ｒｐｍ）から１０００×１０３ｒｐｍ、２×１０３ｒｐｍから９００×１０３ｒｐｍ、３×１０３ｒｐｍから８００×１０３ｒｐｍ、４×１０３ｒｐｍから７００×１０３ｒｐｍ、５×１０３ｒｐｍから６００×１０３ｒｐｍ、１０×１０３ｒｐｍから５００×１０３ｒｐｍ、及び２５×１０３ｒｐｍから１００×１０３ｒｐｍを含む、というように変化してもよい。
【００８５】
特定の実施形態では、方法は、液体試料を２つ以上の分画に分離するために試料容器及び遠心分離機の平衡おもりが第１遠心力をかけられる２つ以上のステップにおいて、液体試料に遠心力をかけることを含む。これらの実施形態では、１つ以上の分画は取り出され、試料容器はローター区画に再配置される。遠心分離機の平衡おもりのおもりは、これらの実施形態では、その後遠心分離機のローターの均衡を保つように、細長い本体（例えば、シャフト）の縦軸に沿う第２位置に調節される。いくつかの実施形態では、対象の液体試料における成分数に応じて、液体試料からより多くの分画が遠心分離の後続の間隔（例えば、３回目、４回目等）の後に取り出され、遠心分離機の平衡おもりのおもりは、遠心分離機のローターの均衡を保つよう、異なる位置（例えば、３番目、４番目等）に調節される。
【００８６】
遠心分離の速度は、各ステップ中同じであってもよいかまたは異なってもよい。いくつかの実施形態では、遠心分離の速度は、毎ステップ同じである。他の実施形態では、遠心分離の速度は異なる。遠心分離の持続時間は、各ステップ中に同様に変化してもよく、各ステップの持続時間は、１分から１５分といったように、０．１分から６０分の範囲である。
【００８７】
必要に応じて、細長い本体の縦軸に沿うおもりの位置は、主題の方法の最中にいつでも変更してもよい。例えば、おもりの位置は、遠心分離機のローターによる振動に応じて、回転速度の変化（増加または減少）に応じて変化してもよい。いくつかの実施形態では、おもりの位置は、３回以上、及び５回以上を含む、というように、主題の方法の最中に２回以上変化する。
【００８８】
特定の実施形態では、方法は、遠心分離中に遠心分離機のローターの均衡を監視することを含む。監視は、遠心分離中に遠心分離機のローターのぶれまたは振動を算定すること（人間の指示でコンピューター自動化手順を用いて最初のセットアップを行った場合、人間またはコンピューター補助のいずれかで）を含んでもよい。例えば、遠心分離機のローターの均衡を監視することは、遠心分離機のローターによる振動を視認するかまたは手動で感知することを含んでもよい。遠心分離機のローターの均衡を監視することは、遠心分離中にローターの軸を外れた動きを検知するコンピューター制御センサーまたは他の都合のよい検知手順で均衡を算定することをさらに含んでもよい。
【００８９】
いくつかの例では、監視することは、検知器を採用する（例えば、ビデオカメラで）といったようにリアルタイムデータを収集することを含む。他の例では、監視することは、毎０．０１分、毎０．０５分、毎０．１分、毎０．５分、毎１分、毎５分、毎１０分、毎３０分、毎６０分またはその他の間隔で、といったように一定間隔で試料を査定することを含む。
【００９０】
本開示の方法はさらに、遠心分離中に主題の手順にあらゆる望ましい調節を識別するために遠心分離機のローターの均衡を査定するステップを含んでもよい。言い換えると、これらの実施形態における方法は遠心分離機のローターの監視に基づくフィードバックを提供することを含み、手順への調節が目的に関して変化し得る場合、いくつかの例では望ましい調節は遠心分離機のローターの均衡を向上し、遠心分離機のローターの振動及びぶれを低減し、遠心分離中に遠心分離機のローターまたはそのいくつかの組み合わせによるノイズを低減する優れた結果を残す調節である。
【００９１】
遠心分離中に遠心分離機のローターが振動するかまたは激し過ぎるぶれが見られるといったように、提供されたフィードバックが、特定の手順が最適以下であることを示す場合、方法は、細長い本体（例えば、シャフト上）の縦軸に沿う異なる位置でおもりを再配置すること、異なる位置に基部を再配置すること、おもりを適所に固定すること、細長い本体の遠位端に基部を固定すること、またはそれらのいくつかの組み合わせを含んでもよい。
【００９２】
遠心分離のためのシステム
本開示の態様は、主題の方法を実行するためのシステムをさらに含む。前述のように、遠心分離機のローターの均衡を保つための方法は、液体試料が入った容器を遠心分離機のローター区画に配置することと、遠心分離機の平衡おもりを試料容器のローター区画と直径方向反対側にあるローター区画内に配置することと、及び容器と遠心分離機の平衡おもりに液体試料の２つ以上の分画を生成するために十分な遠心分離力をかけることとを含む。
【００９３】
いくつかの実施形態では、システムは、１つ以上の前述の遠心分離機の平衡おもり、並びに、遠心分離機の平衡おもり及び液体試料が入った容器を遠心分離機に配置するための遠心分離機のローターを含む。１つの実施例では、遠心分離機のローターは固定角度ローターである。他の実施例では、遠心分離機のローターはスイングバケット式ローターである。
【００９４】
さらに、対象のシステムは、液体試料に遠心力をかけるための遠心分離機をさらに含んでもよい。「遠心分離機」という用語は、その従来の意味において、装置の容器内における試料の成分に遠心力をかけるために回転軸回りで１つ以上の主題の分離装置回転させるための機器を指すように、本明細書で用いられる。これらには限定されないが、固定角度遠心分離機、スイングバケット式遠心分離機、超遠心分離機、ソリッドボール式遠心分離機、円錐遠心分離機、その他のタイプの遠心分離機を含むあらゆる都合のよい遠心分離機手順が採用されてもよい。特定の実施形態では、遠心分離機は水平ローターを持つ遠心分離機である。他の実施形態では、遠心分離機は固定角度ローターを持つ遠心分離機である。例えば、遠心分離機は、水平ローターまたは固定角度ローター及びブラシレスＤＣモーターを持つ水平モデル７５５ＶＥＳ遠心分離機（ペンシルベニア州ポートマチルダのドラッカー社製）であってもよい。
【００９５】
前述のように、主題の遠心分離機は、試料のタイプ、分離装置のサイズ及び試料成分の望ましい分離に応じて変化する遠心力をかけるように構成にされてもよい。実施形態では、主題の遠心分離機は、２ｇから４５，０００ｇ、３ｇから４０，０００ｇ、５ｇから３５，０００ｇ、１０ｇから２５，０００ｇ、１００ｇから２０，０００ｇ、５００ｇから１５，０００ｇ及び１０００ｇから１０，０００ｇを含む、というように、１ｇから５０，０００ｇの範囲の遠心力（相対遠心力、ＲＣＦで）をかけてもよい。従って、主題の遠心分離機は、１×１０３毎分回転（ｒｐｍ）から１０００×１０３ｒｐｍ、２×１０３ｒｐｍから９００×１０３ｒｐｍ、３×１０３ｒｐｍから８００×１０３ｒｐｍ、４×１０３ｒｐｍから７００×１０３ｒｐｍ、５×１０３ｒｐｍから６００×１０３ｒｐｍ、１０×１０３ｒｐｍから５００×１０３ｒｐｍ、及び２５×１０３ｒｐｍから１００×１０３ｒｐｍを含む、というように、非常に幅広い回転速度を動作できるように構成されてもよい。
【００９６】
遠心分離機はさらに、温度制御遠心分離機であってもよく、主題の装置における試料の温度は、所望の通りに維持されるかまたは変更（例えば、上昇または下降）されてもよい。例えば、遠心分離機は、主題の装置における試料の温度を、−７５℃から７５℃、−５０℃から５０℃、−２５℃から２５℃、−１０℃から１０℃、及び０℃から２５℃を含む、というように、−８０℃から１００℃に維持するように構成されてもよい。
【００９７】
主題の遠心分離機はさらに、遠心分離中に遠心分離機のローターの均衡を査定するための監視手順で構成されてもよい。例えば、遠心分離機は、遠心分離機のローターを可視化するための覗き窓を含んでもよいか、または均衡センサー、軸外れ動作センサーまたは振動センサー、またはその他の検知手順といった１つ以上のセンサーを含んでもよい。
【００９８】
キット
本発明の態様はさらにキットを含み、キットは本明細書に記述されるように１つ以上の主題の遠心分離機の平衡おもりを含む。いくつかの例では、キットは１つ以上の追加構成要素（例えば、緩衝材、水、溶液等）を含むことができる。いくつかの例では、キットはさらに、例えば、減圧採血管、針、シリンジ、ピペット、止血帯等血液採取装置といった試料採取装置を所望の通りに含んでもよい。キットはさらに、シャフト上の参照識別子のためのデコーダーを含んでもよい。
【００９９】
キットの様々な分析構成要素は、個別の容器に入っていてもよいか、またはそのいくつかまたは全ては事前に組み合わされていてもよい。例えば、いくつかの例では、例えば、細長い本体（例えば、シャフト、筐体）、おもり及び基部といったキットの１つ以上の構成要素は、例えば、殺菌ホイル袋または包みといった密封された袋に入っている。
【０１００】
上記の構成要素に加え、主題のキットはさらに、（特定の実施形態では）主題のキット構成要素を組み立てるため、並びに本明細書に記述されるように遠心分離機のローターの均衡を保つための方法を実行するための指示を含む。これらの指示は様々な形状で主題のキットに入っていてもよく、１つ以上の指示がキットに入っていてもよい。これらの指示における１つの形態は、例えば、キットのパッケージ、パッケージ挿入物等にある印刷された情報の一片または紙片といった適切な媒体または基板に印刷された情報として存在してもよい。これらの指示のさらに他の形状は、例えば、ディスケット、コンピューターディスク（ＣＤ）、ポータブルフラッシュドライブ等といった情報が記録されたコンピューター読み取り可能な媒体である。これらの指示のさらに他の形状は、情報にアクセスするためにインターネットを介して用いられ得るウェブサイトアドレスであってもよい。
【０１０１】
有用性
遠心分離が液体試料の成分を分離するために採用され、かつ正確な均衡が遠心分離中に必要である様々な適用に主題の装置、方法及びシステムの使用が確認される。主題の装置はさらに、振動に非常に影響を受けやすい遠心分離機、または、わずかな不均衡でさえ生じるローターのぶれによって損傷を受け得る遠心分離機での使用が確認される。本開示の実施形態はさらに、血液の分離成分（例えば、白血球、幹細胞、赤血球、血小板、血漿等）を得るために望ましい全血及び骨髄穿刺液といった、生物学的試料の成分浄化における使用が確認される。いくつかの実施形態では、本開示は、多血小板血漿といった治療効果がある適用を持つ血液製剤の生成における使用が確認される。実施形態はさらに、研究所分析、診断検査のため、または他の研究適用のためといった特定の成分のみが望まれる場合において、多成分液体からの試料の生成における使用が確認される。
【０１０２】
主題の遠心分離機の平衡おもりは、遠心分離機の均衡を保つための、より容易で、より早い、比較的高価でない方法を提供する。遠心分離機の操作における技能及び人間への訓練をさらに最小限にし、研究中に起こる遠心分離機の不均衡による有害事象の可能性を低減する。
【０１０３】
実施例
実施例は、血液で満たされた遠心分離機の管と図１に描写される機械的平衡おもりの間で優れた均衡を保つ機能性を達成したことを実証した。遠心分離中に、遠心分離機にぶれまたは激しい振動はほとんどまたは全く見られず、平衡おもりは遠心分離機の均衡を十分に維持した。この結果は、対向するバケット内で遠心分離される２つの対象物の量、形状及びサイズにおける全ての差を考慮すれば驚くものであった。
【０１０４】
添付の請求項にもかかわらず、本明細書に記載される開示は、以下の付記によっても定義される。
【０１０５】
１．調節可能な重心を有する遠心分離機の平衡おもり。
２．遠位端及び近位端を備える細長い本体であって、細長い本体の縦軸に沿って適所におもりを可逆的に固定するために構成される細長い本体と、
細長い本体の縦軸に沿って動くように構成されたおもりと、
細長い本体に連結し、かつ遠心分離機に動作可能なように連結するように構成された基部と
を備える付記１に記載の遠心分離機の平衡おもり。
３．遠位端及び近位端を備えるシャフトであって、シャフト上におもりを可逆的に固定するために構成されるシャフトと、
シャフトの縦軸に沿って動くように構成されたおもりと、
シャフト上のおもりから遠位的に配置され、かつ遠心分離機に動作可能なように連結するように構成された基部と
を備える付記１に記載の遠心分離機の平衡おもり。
４．おもりは、おもりを通じて延びる穴を備える付記３に記載の遠心分離機の平衡おもり。
５．シャフトは、穴を通じて延びる付記４に記載の遠心分離機の平衡おもり。
【０１０６】
６．シャフトは固定具を備える付記３〜５のいずれか一つに記載の遠心分離機の平衡おもり。
７．固定具は、シャフトの縦軸に沿って突出部を備える付記６に記載の遠心分離機の平衡おもり。
８．固定具は、シャフトの縦軸に沿って溝を備える付記６に記載の遠心分離機の平衡おもり。
９．シャフトは螺合した外壁を含み、かつおもりの穴が螺合した内部壁を含み、シャフトがおもりの内部壁と螺合する付記４に記載の遠心分離機の平衡おもり。
１０．おもりは、シャフトの縦軸に沿って適所でおもりを固定するためのロックを備える付記３〜９のいずれか一つに記載の遠心分離機の平衡おもり。
【０１０７】
１１．ロックは、止め掛け金、止めピンまたは止めネジを備える付記１０に記載の遠心分離機の平衡おもり。
１２．基部が、シャフトの遠位端に固定される付記３〜１１のいずれか一つに記載の遠心分離機の平衡おもり。
１３．基部が、シャフトの縦軸に沿って動くように構成される付記３〜１１のいずれか一つに記載の遠心分離機の平衡おもり。
１４．基部は、基部を通じて延びる穴を備える付記１３に記載の遠心分離機の平衡おもり。
１５．シャフトは、穴を通じて延びる付記１４に記載の遠心分離機の平衡おもり。
【０１０８】
１６．シャフトは螺合した外壁を含み、かつ基部の穴が螺合した内部壁を含み、シャフトが基部の内部壁と螺合する付記１５に記載の遠心分離機の平衡おもり。
１７．基部は、シャフトの縦軸に沿って適所で基部を固定するためのロックを備える付記３〜１６のいずれか一つに記載の遠心分離機の平衡おもり。
１８．ロックは、止め掛け金、止めピンまたは止めネジを備える付記１７に記載の遠心分離機の平衡おもり。
１９．基部は円形断面を備える付記１３〜１８のいずれか一つに記載の遠心分離機の平衡おもり。
２０．おもりは円形断面を備える付記３〜１９のいずれか一つに記載の遠心分離機の平衡おもり。
【０１０９】
２１．おもりは金属を備える付記３〜２０のいずれか一つに記載の遠心分離機の平衡おもり。
２２．おもりはステンレス鋼を備える付記２１に記載の遠心分離機の平衡おもり。
２３．シャフトの長さは２ｃｍから１０ｃｍである付記３〜２２のいずれか一つに記載の遠心分離機の平衡おもり。
２４．おもりの直径は１ｃｍから１０ｃｍである付記３〜２３のいずれか一つに記載の遠心分離機の平衡おもり。
２５．基部の直径は１ｃｍから１０ｃｍである付記３〜２４のいずれか一つに記載の遠心分離機の平衡おもり。
【０１１０】
２６．おもりの密度は基部の密度よりも高い付記３〜２５のいずれか一つに記載の遠心分離機の平衡おもり。
２７．おもりの密度は１．５ｇ／ｃｍ３から８ｇ／ｃｍ３である付記３〜２６のいずれか一つに記載の遠心分離機の平衡おもり。
２８．遠位端及び近位端を備える筐体であって、筐体内におもりを可逆的に固定するために構成される筐体と、
筐体内の縦軸に沿って動くように構成されたおもりと、
筐体の遠位端に配置され、かつ遠心分離機に動作可能なように連結するように構成された基部と
を備える付記１に記載の遠心分離機の平衡おもり。
２９．遠心分離機のローター区画に試料が入った容器を配置することと、
容器のローター区画から直径方向反対側にある遠心分離機のローター区画に、調節可能な重心を有する遠心分離機の平衡おもりを配置することと、
試料の２つ以上の分画を生成するために十分な遠心力を容器にかけることと
を含む方法。
３０．遠心分離機の平衡おもりは、
遠位端及び近位端を備える細長い本体であって、細長い本体の縦軸に沿って適所におもりを可逆的に固定するために構成される細長い本体と、
細長い本体の縦軸に沿って動くように構成されたおもりと、
細長い本体に連結し、かつ遠心分離機に動作可能なように連結するように構成された基部と
を備える付記２９に記載の方法。
【０１１１】
３１．遠心分離機の平衡おもりは、
遠位端及び近位端を備えるシャフトであって、シャフト上におもりを可逆的かつ安定的に配置するように構成されるシャフトと、
シャフトの縦軸に沿って動くように構成されたおもりと、
シャフト上のおもりから遠位的に配置され、かつ遠心分離機に動作可能なように連結するように構成された基部と
を備える付記２９に記載の方法。
３２．おもりをシャフトの縦軸に沿って、容器及び平衡おもりが遠心分離中に同じ重さになる位置に配置することをさらに含む付記３１に記載の方法。
３３．シャフト上の位置におもりを固定することを含む付記３２に記載の方法。
３４．試料に遠心力をかけた後に、容器から試料の一部を取り出すことと、
シャフトの縦軸に沿って第２位置におもりを再配置することと
をさらに含む付記３２または３３に記載の方法。
３５．シャフト上の第２位置でおもりを固定することをさらに含む付記３４に記載の方法。
【０１１２】
３６．試料に遠心力をかけた後に、容器から試料の一部を取り出すことと、
遠心分離機から遠心分離機の平衡おもりを取り出すことと、
容器のローター区画から直径方向反対側にある遠心分離機のローター区画に第２遠心分離機の平衡おもりを配置することと
をさらに含み、
第２遠心分離機の平衡おもりのおもりが、シャフトの縦軸に沿った、遠心分離中に容器と第２平衡おもりとが同じ重さになる第２位置に配置される付記３１〜３５のいずれか一つに記載の方法。
３７．基部が、シャフトの縦軸に沿って動くように構成される付記３１〜３６のいずれか一つに記載の方法。
３８．基部及びおもりを、シャフトの縦軸に沿って、容器及び平衡おもりが遠心分離中に同じ重さになる位置に配置することをさらに含む付記３７に記載の方法。
３９．シャフト上の上記位置で基部及びおもりを固定することをさらに含む付記３７または３８に記載の方法。
４０．おもりは、おもりを通じて延びる穴を備える付記３１〜３９のいずれか一つに記載の方法。
【０１１３】
４１．シャフトは、穴を通じて延びる付記４０に記載の方法。
４２．シャフトは固定具を備える付記３１〜３９のいずれか一つに記載の方法。
４３．固定具は、シャフトの縦軸に沿って突出部を備える付記４２に記載の方法。
４４．固定具は、シャフトの縦軸に沿って溝を備える付記４２に記載の方法。
４５．シャフトが螺合した外壁を含み、かつおもりの穴が螺合した内部壁を含み、シャフトがおもりの内部壁と螺合する付記３１〜４４のいずれか一つに記載の方法。
【０１１４】
４６．基部が、シャフトの遠位端に固定される付記３１〜４５のいずれか一つに記載の方法。
４７．基部は円形断面を備える付記３１〜４６のいずれか一つに記載の方法。
４８．おもりは円形断面を備える付記３１〜４７のいずれか一つに記載の方法。
４９．おもりは金属を備える付記３１〜４８のいずれか一つに記載の方法。
５０．おもりはステンレス鋼を備える付記４９に記載の方法。
【０１１５】
５１．シャフトの長さは２ｃｍから１０ｃｍである付記３１〜５０のいずれか一つに記載の方法。
５２．おもりの直径は１ｃｍから１０ｃｍである付記３１〜５１のいずれか一つに記載の方法。
５３．基部の直径は１ｃｍから１０ｃｍである付記３１〜５２のいずれか一つに記載の方法。
５４．おもりの密度は基部の密度よりも高い付記３１〜５３のいずれか一つに記載の方法。
５５．おもりの密度は１．５ｇ／ｃｍ３から８ｇ／ｃｍ３である付記３１〜５４のいずれか一つに記載の方法。
【０１１６】
５６．遠心分離機の平衡おもりは、
遠位端及び近位端を備える筐体であって、筐体内におもりを可逆的に固定するために構成される筐体と、
筐体内の縦軸に沿って動くように構成されたおもりと、
筐体の遠位端に配置され、かつ遠心分離機に動作可能なように連結するように構成された基部と
を備える付記２９に記載の方法。
５７．遠心分離機と、調節可能な重心を有する遠心分離機の平衡おもりとを備えるシステム。
５８．遠心分離機の平衡おもりは、
遠位端及び近位端を備える細長い本体であって、細長い本体の縦軸に沿って適所におもりを可逆的に固定するために構成される細長い本体と、
細長い本体の縦軸に沿って動くように構成されたおもりと、
細長い本体に連結し、かつ遠心分離機に動作可能なように連結するように構成された基部と
を備える付記５７に記載のシステム。
５９．遠心分離機の平衡おもりは、
遠位端及び近位端を備えるシャフトであって、シャフト上におもりを可逆的かつ安定的に配置するように構成されるシャフトと、
シャフトの縦軸に沿って動くように構成されたおもりと、
シャフト上のおもりから遠位的に配置され、かつ遠心分離機に動作可能なように連結するように構成された基部と
を備える付記５７に記載のシステム。
６０．遠心分離機は、少なくとも２つの直径方向に対向する区画を備えるローターを備える付記５９に記載のシステム。
【０１１７】
６１．遠心分離機は、固定された角度の遠心分離機である付記５９に記載のシステム。
６２．遠心分離機はスイングバケット式遠心分離機である付記５９に記載のシステム。
６３．おもりは、おもりを通じて延びる穴を備える付記５９〜６２のいずれか一つに記載のシステム。
６４．シャフトは、穴を通じて延びる付記６３に記載のシステム。
６５．シャフトは固定具を備える付記５９〜６４のいずれか一つに記載のシステム。
【０１１８】
６６．固定具は、シャフトの縦軸に沿って突出部を備える付記６５に記載のシステム。
６７．固定具は、シャフトの縦軸に沿って溝を備える付記６５に記載のシステム。
６８．シャフトが螺合した外壁を含み、かつおもりの穴が螺合した内部壁を含み、シャフトがおもりの内部壁と螺合する付記５９に記載のシステム。
６９．おもりは、シャフトの縦軸に沿って適所でおもりを固定するためのロックを備える付記５９〜６８のいずれか一つに記載のシステム。
７０．ロックは、止め掛け金、止めピンまたは止めネジを備える付記６９に記載のシステム。
【０１１９】
７１．基部が、シャフトの遠位端に固定される付記５９〜７０のいずれか一つに記載のシステム。
７２．基部が、シャフトの縦軸に沿って動くように構成される付記５９〜７０のいずれか一つに記載のシステム。
７３．基部は、基部を通じて延びる穴を備える付記７２に記載のシステム。
７４．シャフトは、穴を通じて延びる付記７３に記載のシステム。
７５．シャフトが螺合した外壁を含み、かつ基部の穴が螺合した内部壁を含み、シャフトが基部の内部壁と螺合する付記７４に記載のシステム。
【０１２０】
７６．基部は、シャフトの縦軸に沿って適所で基部を固定するためのロックを備える付記７４または７５に記載のシステム。
７７．ロックは、止め掛け金、止めピンまたは止めネジを備える付記７６に記載のシステム。
７８．基部は円形断面を備える付記５９〜７７のいずれか一つに記載のシステム。
７９．おもりは円形断面を備える付記５９〜７８のいずれか一つに記載のシステム。
８０．おもりの密度は基部の密度よりも高い付記５９〜７９のいずれか一つに記載のシステム。
【０１２１】
８１．おもりは金属を備える付記５９〜８０のいずれかに一つに記載のシステム。
８２．おもりはステンレス鋼を備える付記８１に記載のシステム。
８３．シャフトの長さは２ｃｍから１０ｃｍである付記５９〜８２のいずれか一つに記載のシステム。
８４．おもりの直径は１ｃｍから１０ｃｍである付記５９〜８３のいずれか一つに記載のシステム。
８５．基部の直径は１ｃｍから１０ｃｍである付記５９〜８４のいずれか一つに記載のシステム。
【０１２２】
８６．おもりの密度は基部の密度よりも高い付記５９〜８５のいずれか一つに記載のシステム。
８７．おもりの密度は１．５ｇ／ｃｍ３から８ｇ／ｃｍ３である付記５９〜８６のいずれか一つに記載のシステム。
８８．遠心分離機の平衡おもりは、
遠位端及び近位端を備える筐体であって、筐体内におもりを可逆的に固定するために構成される筐体と、
筐体内の縦軸に沿って動くように構成されたおもりと、
筐体の遠位端に配置され、かつ遠心分離機に動作可能なように連結するように構成された基部と
を備える付記５７に記載のシステム。
８９．調節可能な重心を有する遠心分離機の平衡おもりを備えるキット。
９０．遠心分離機の平衡おもりは、
遠位端及び近位端を備える細長い本体であって、細長い本体の縦軸に沿って適所におもりを可逆的に固定するために構成される細長い本体と、
細長い本体の縦軸に沿って動くように構成されたおもりと、
細長い本体に連結し、かつ遠心分離機に動作可能なように連結するように構成された基部と
を備える付記８９に記載のキット。
【０１２３】
９１．遠心分離機の平衡おもりは、
遠位端及び近位端を備えるシャフトであって、シャフト上におもりを可逆的かつ安定的に配置するように構成されるシャフトと、
シャフトの縦軸に沿って動くように構成されたおもりと、
シャフト上のおもりから遠位的に配置され、かつ遠心分離機に動作可能なように連結するように構成された基部と
を備える付記８９に記載のキット。
９２．遠心分離機の平衡おもりは、
遠位端及び近位端を備える筐体であって、筐体内におもりを可逆的に固定するために構成される筐体と、
筐体内の縦軸に沿って動くように構成されたおもりと、
筐体の遠位端に配置され、かつ遠心分離機に動作可能なように連結するように構成された基部と
を備える付記８９に記載のキット。
９３．容器は袋を備える付記８９〜９１のいずれか一つに記載のキット。
９４．容器内に２つ以上の遠心分離機の平衡おもりを備える付記８９〜９３のいずれか一つに記載のキット。
【０１２４】
先行の発明が明確な理解を目的として図面及び実施例で詳細に記述されてきたが、付随の特許請求の趣旨及び範囲から逸脱することなく特定の変更及び修正が行われてもよいことが、本開示の技術分野における当業者に容易に明らかとなる。
【０１２５】
従って、前述のものは単に本発明の本質を説明している。本明細書には明確に記述されていないかまたは示されてはいないが、本発明の本質を具現化し、かつその趣旨と範囲内に含まれる様々なアレンジを当業者が考案できることが理解されるであろう。さらに、本明細書に挙げられた全ての実施例及び条件言語は主に、そういった特に列挙された実施例及び条件に制限されることなく読者が本発明の本質を理解することを手助けする意図がある。さらに、本発明並びにその特定の実施例の本質、態様、及び実施形態を列挙する本明細書の全ての陳述は、その構造的同等物及び機能的同等物の両方を包含する意図がある。さらに、そういった同等物が、現在既知の同等物及び将来的に開発される同等物、すなわち、構造にかかわらず同じ機能を実行するあらゆる開発された要素の両方を含むことを意図する。本発明の範囲は従って、本明細書に示され、かつ記述された例示的実施形態に制限される意図はない。むしろ、本発明の範囲及び趣旨は付随の特許請求の範囲によって包含される。
【０１２６】
関連出願の相互参照
米国特許法第１１９条（ｅ）に従って、本出願は、２０１５年４月５日に出願された米国仮特許出願第６２／１４３，１９８の優先権を主張するものであり、参照によりその開示を本明細書に包含する。
【図１】
2018510062.tif 000003
【図２Ａ】
2018510062.tif 000004
【図２Ｂ】
2018510062.tif 000005
【図３】
2018510062.tif 000006
【国際調査報告】
2018510062.tif 000007
2018510062.tif 000008
2018510062.tif 000009